(57)【要約】【課題】本発明は、高効率の廃プラスチック、有機物、特に多種のプラスチック類で構成される医療廃棄物の分解装置及び分解システムを提供することを課題とする。【解決手段】本発明者らは、回転車を使用した触媒循環手段を導入すること及び／又は混合槽を導入することで本発明を完成するに至った。【選択図】なし
2009051253.tif 000002
【特許請求の範囲】
【請求項１】
触媒循環型プラスチック・有機物の分解装置において、
触媒を循環させる循環槽と、
該循環槽内には、プラスチック及び／又は有機物を該触媒と共に循環及び／又は撹拌をするための回転車と、を備え、
該触媒と共に該プラスチック及び／又は有機物を該循環槽内を循環させることを特徴とする触媒循環型プラスチック・有機物の分解装置。
【請求項２】
前記回転車は、駆動源により回転する回転軸に車輪を設け、該回転軸が前記循環槽内に挿入されていることを特徴とする請求項１に記載の触媒循環型プラスチック・有機物の分解装置。
【請求項３】
前記車輪に、撹拌羽根が設置されていることを特徴とする請求項２に記載の触媒循環型プラスチック・有機物の分解装置。
【請求項４】
前記循環槽が２枚の仕切り壁により３つの領域である右領域、左領域及び中央領域に分けられており、１又は２以上の前記回転車が３つの領域にそれぞれ設置されていることを特徴とする請求項１〜３のいずれか１に記載の触媒循環型プラスチック・有機物の分解装置。
【請求項５】
前記中央領域に設置された前記回転車が前記触媒と共に前記プラスチック及び／又は有機物を前記右領域及び／又は前記左領域に運搬し、さらに該右領域及び／又は該左領域に設置された前記回転車が該触媒と共に該プラスチック及び／又は有機物を該中央領域に運搬することにより、該触媒と共に該プラスチック及び／又は有機物を該循環槽内を循環させることを特徴とする請求項４に記載の触媒循環型プラスチック・有機物の分解装置。
【請求項６】
前記右領域及び／又は前記左領域に設置された前記回転車は、前記中央領域に設置された回転車よりも高く配置されており、循環終了後の触媒を該右領域及び／又は該左領域の下流端から前記循環槽内の新たに投入したプラスチック及び／又は有機物に投下することを特徴とする請求項４又は５に記載の触媒循環型プラスチック・有機物の分解装置。
【請求項７】
混合槽が前記循環槽に連結又は該循環槽内に導入されていることを特徴とする請求項４〜６のいずれか１に記載の触媒循環型プラスチック・有機物の分解装置。
【請求項８】
前記循環槽が１枚の仕切り壁により２つの領域である前方領域及び後方領域に分けられており、１つの回転車が該前方領域に設置されており、かつ２つの回転車が該後方領域に設定されており、該前方領域に設置された該回転車が前記プラスチック及び／又は有機物を該後方領域に運搬し、さらに該後方領域に設置された該回転車が該触媒と共に該プラスチック及び／又は有機物を該前方領域に運搬することにより、該触媒と共に該プラスチック及び／又は有機物を該循環槽内を循環させることを特徴とする請求項１〜３のいずれか１に記載の触媒循環型プラスチック・有機物の分解装置。
【請求項９】
前記循環槽が２枚の仕切り壁により３つの領域に分けられており、１又は２以上の前記回転車がそれぞれの両端側領域に設置されていることを特徴とする請求項１〜３のいずれか１に記載の触媒循環型プラスチック・有機物の分解装置。
【請求項１０】
前記循環槽が、２以上の区分に分けられており、第１区分から最終区分まで連結しており、かつ最終区分の下流端が該第１区分の上流端に連結しており、そして前記回転車が各区分に１又は２以上設置されていることを特徴とする請求項１〜３のいずれか１に記載の触媒循環型プラスチック・有機物の分解装置。
【請求項１１】
前記循環槽が、２以上の区分に分けられており、第１区分から最終区分まで連結しており、かつ最終区分の下流端が該第１区分の上流端に混合槽を介して連結しており、そして前記回転車が各区分に１又は２以上設置されていることを特徴とする請求項１〜３のいずれか１に記載の触媒循環型プラスチック・有機物の分解装置。
【請求項１２】
前記最終区分に設置されている前記回転車は、連結されている前の区分に設置されている前記回転車よりも高く配置されており、循環終了後の触媒を該最終区分の下流端から前記循環槽内の新たに投入したプラスチック及び／又は有機物に投下することを特徴とする請求項１０に記載の触媒循環型プラスチック・有機物の分解装置。
【請求項１３】
前記最終区分に設置されている前記回転車は、連結されている前の区分に設置されている前記回転車よりも高く配置されており、循環終了後の触媒を該最終区分の下流端から前記混合槽内の新たに投入したプラスチック及び／又は有機物に投下することを特徴とする請求項１１に記載の触媒循環型プラスチック・有機物の分解装置。
【請求項１４】
前記混合槽には、プラスチック及び／又は有機物を撹拌するための撹拌手段と、プラスチック及び／又は有機物を該混合槽に導入するための導入口と、循環終了後の触媒を溜めるための１又は２以上の触媒滞留領域とを、備え、
循環終了後の触媒滞留領域中の触媒をプラスチック及び／又は有機物に投下し、該プラスチック及び／又は有機物を該触媒と接触させ、続いて、該触媒並びに該プラスチック及び／又は有機物を前記第１区分に運搬することを特徴とする請求項７、１１又は１３に記載の触媒循環型プラスチック・有機物の分解装置。
【請求項１５】
前記混合槽には、循環終了後の触媒を溜めるための１又は２以上の触媒滞留領域と、プラスチック及び／又は有機物を収容するための１又は２以上のカゴ収納領域と、カゴを混合槽内へ搬入するための搬入口、カゴを混合槽内から搬出するための搬出口とを、備え、
プラスチック及び／又は有機物を含むカゴを該搬入口を介して該混合槽内のカゴ収納領域に搬入し、循環終了後の触媒滞留領域中の触媒を該カゴ収納領域に投下し、続いて、該プラスチック及び／又は有機物を該触媒と接触させ、続いて、該触媒を第１区分に運搬することを特徴とする請求項７、１１、１３又は１４に記載の触媒循環型プラスチック・有機物の分解装置。
【請求項１６】
前記混合槽は、さらに、複数のカゴを前記混合槽内へ運搬するためのカゴ運搬レーンを、備え、
１又は複数のカゴを前記搬出口を介して該混合槽から搬出すると同時に、次の１又は複数のカゴを前記搬入口を介して該混合槽へ搬入することを特徴とする請求項１５に記載の触媒循環型プラスチック・有機物の分解装置。
【請求項１７】
前記カゴ運搬レーンの下流端がカゴ運搬レーンの上流端と前記混合槽を介して連結しており、新たに処理するプラスチック及び／又は有機物を搬出されたカゴに入れ、該カゴを再度該混合槽内へ搬入することを特徴とする請求項１６に記載の触媒循環型プラスチック・有機物の分解装置。
【請求項１８】
触媒循環型プラスチック・有機物の分解装置において、
触媒を循環させる循環槽と、
該触媒とプラスチック及び／又は有機物を混合するための混合槽と、
該循環槽内には、プラスチック及び／又は有機物を該触媒と共に循環及び／又は撹拌をする手段（循環及び／又は撹拌手段）と、
該混合槽には、プラスチック及び／又は有機物を撹拌するための撹拌手段と、プラスチック及び／又は有機物を該混合槽に導入するための導入口と、循環終了後の触媒を溜めるための１又は２以上の触媒滞留領域とを、備え、
循環終了後の触媒滞留領域中の触媒をプラスチック及び／又は有機物に投下し、該プラスチック及び／又は有機物を該触媒と接触させ、続いて、該触媒並びに該プラスチック及び／又は有機物を該循環槽内に運搬することを特徴とする触媒循環型プラスチック・有機物の分解装置。
【請求項１９】
前記混合槽には、さらに、プラスチック及び／又は有機物を収容するための１又は２以上のカゴ収納領域と、カゴを混合槽内へ搬入するための搬入口、カゴを混合槽内から搬出するための搬出口とを、備え、
プラスチック及び／又は有機物を含むカゴを該搬入口を介して該混合槽内のカゴ収納領域に搬入し、循環終了後の触媒滞留領域中の触媒をプラスチック及び／又は有機物に投下し、該プラスチック及び／又は有機物を該触媒と接触させ、続いて、該触媒は該循環槽内に運搬することを特徴とする請求項１８に記載の触媒循環型プラスチック・有機物の分解装置。
【請求項２０】
触媒循環型プラスチック・有機物の分解装置において、
触媒を循環させる循環槽と、
該触媒とプラスチック及び／又は有機物を混合するための混合槽と、
該循環槽内には、プラスチック及び／又は有機物を該触媒と共に循環及び／又は撹拌をする手段（循環及び／又は撹拌手段）と、
該混合槽には、プラスチック及び／又は有機物を収容するための１又は２以上のカゴ収納領域と、カゴを混合槽内へ搬入するための搬入口、カゴを混合槽内から搬出するための搬出口と、循環終了後の触媒を溜めるための１又は２以上の触媒滞留領域とを、備え、
プラスチック及び／又は有機物を含むカゴを該搬入口を介して該混合槽内のカゴ収納領域に搬入し、循環終了後の触媒滞留領域中の触媒をプラスチック及び／又は有機物に投下し、該プラスチック及び／又は有機物を該触媒と接触させ、続いて、該触媒は該循環槽に運搬することを特徴とする触媒循環型プラスチック・有機物の分解装置。
【請求項２１】
前記混合槽には、さらに、プラスチック及び／又は有機物を撹拌するための撹拌手段と、プラスチック及び／又は有機物を該混合槽に導入するための導入口とを、備え、
循環終了後の触媒滞留領域中の触媒をプラスチック及び／又は有機物に投下し、該プラスチック及び／又は有機物を該触媒と接触させ、続いて、該触媒並びに該プラスチック及び／又は有機物を循環槽に運搬することを特徴とする請求項２０に記載の触媒循環型プラスチック・有機物の分解装置。
【請求項２２】
前記混合槽は、さらに、複数のカゴを混合槽内へ運搬するためのカゴ運搬レーンを、備え、
１又は複数のカゴを前記搬出口を介して該混合槽から搬出すると同時に、次の１又は複数のカゴを前記搬入口を介して該混合槽へ搬入することを特徴とする請求項１８〜２１のいずれか１に記載の触媒循環型プラスチック・有機物の分解装置。
【請求項２３】
前記カゴ運搬レーンの下流端がカゴ運搬レーンの上流端に混合槽を介して連結しており、新たに処理するプラスチック及び／又は有機物を搬出されたカゴに入れ、該カゴを再度該混合槽内へ搬入することを特徴とする請求項２２に記載の触媒循環型プラスチック・有機物の分解装置。
【請求項２４】
触媒循環型プラスチック・有機物の分解装置において、
触媒を循環させる循環槽と、
該触媒を下流端から上流端に投下させる混合槽と、
該循環槽内には、該触媒を循環及び／又は撹拌をする手段（循環及び／又は撹拌手段）と、
該混合槽には、プラスチック及び／又は有機物を収容するための１又は２以上のカゴ収納領域と、カゴを混合槽内へ搬入するための搬入口、カゴを混合槽内から搬出するための搬出口とを、備え、
プラスチック及び／又は有機物を含むカゴを該搬入口を介して該混合槽内のカゴ収納領域に搬入し、循環終了後の触媒を該プラスチック及び／又は有機物に投下し、該プラスチック及び／又は有機物を該触媒と接触させ、続いて、該触媒を該循環槽内に運搬することを特徴とする触媒循環型プラスチック・有機物の分解装置。
【請求項２５】
前記混合槽は、さらに、複数のカゴを混合槽内へ運搬するためのカゴ運搬レーンを、備え、
１又は複数のカゴが前記搬出口を介して該混合槽から搬出すると同時に、次の１又は複数のカゴを前記搬入口を介して該混合槽へ搬入することを特徴とする請求項２４に記載の触媒循環型プラスチック・有機物の分解装置。
【請求項２６】
前記カゴ運搬レーンの下流端がカゴ運搬レーンの上流端に前記混合槽を介して連結しており、新たに処理するプラスチック及び／又は有機物を搬出されたカゴに入れ、該カゴを再度該混合槽内へ搬入することを特徴とする請求項２５に記載の触媒循環型プラスチック・有機物の分解装置。
【請求項２７】
前記循環槽には、カゴを循環槽内へ搬入するための搬入口と、カゴを循環槽内から搬出するための搬出口と、該循環槽の中央領域には、プラスチック及び／又は有機物を収容するための１又は２以上のカゴ収納領域とを、備えることを特徴とする請求項９に記載の触媒循環型プラスチック・有機物の分解装置。
【請求項２８】
前記循環槽は、さらに、複数のカゴを循環槽内へ運搬するためのカゴ運搬レーンを、備え、
１又は複数のカゴを前記搬出口を介して該循環槽から搬出すると同時に、次の１又は複数のカゴを前記搬入口を介して該循環槽へ搬入することを特徴とする請求項２７に記載の触媒循環型プラスチック・有機物の分解装置。
【請求項２９】
前記カゴ運搬レーンの下流端がカゴ運搬レーンの上流端と前記循環槽を介して連結しており、新たに処理するプラスチック及び／又は有機物を搬出されたカゴに入れ、該カゴを再度該循環槽内へ搬入することを特徴とする請求項２８に記載の触媒循環型プラスチック・有機物の分解装置。
【請求項３０】
前記混合槽において、混合槽底部及び／又は側部から担体ガスを供給し、前記触媒を混合槽内に充満させることを特徴とする請求項７、１１、１３〜２９のいずれか１に記載の触媒循環型プラスチック・有機物の分解装置。
【請求項３１】
前記循環槽において、循環槽底部の金網の網目から担体ガスを直接に触媒の内部に均一に分散供給可能であることを特徴とする請求項１〜３０のいずれか１に記載の触媒循環型プラスチック・有機物の分解装置。
【請求項３２】
さらに、以下のいずれか１以上の手段を有することを特徴とする請求項１〜３１のいずれか１に記載の触媒循環型プラスチック・有機物の分解装置。
（１）無機・金属触媒処理手段
（２）担体ガス供給手段
（３）サイクロン集塵手段
（４）フィルター付き集塵手段
（５）熱交換手段
（６）プレヒート手段
（７）排気手段
（８）冷却手段
（９）熱回収手段
（１０）HCl連続測定手段
（１１）CO連続測定手段
（１２）警報手段
（１３）石灰中和処理手段
【請求項３３】
請求項１〜３２のいずれか１の分解装置を使用して、活性成分が酸化チタンである酸化チタンの顆粒体からなる触媒の加熱温度を420度〜560度の範囲に設定してプラスチック・有機物の分解をすることを特徴とするプラスチック・有機物の分解システム。
【請求項３４】
酸化チタンの顆粒体の活性成分の酸化チタンが、以下の特性を有することを特徴とする請求項３３に記載の分解システム。
（１）顆粒体の形状が略球形である
（２）全顆粒体の70％以上の顆粒体の粒子径が0.15〜1.0ｍｍである
【請求項３５】
前記酸化チタンの顆粒体が、活性成分としての酸化チタンと少なくとも以下のいずれか１から選ばれる混合物であることを特徴とする請求項３４に記載の分解システム。
（１）酸化アルミニウム
（２）酸化ケイ素
【発明の詳細な説明】
【技術分野】
【０００１】
本発明は、廃プラスチック、有機物、特に多種のプラスチック、有機物で構成される医療廃棄物、又感染性のある医療廃棄物を分解するための装置に関し、詳しくは、回転車を使用することによる循環・撹拌手段を最適化したこと及び／又は混合槽を導入することによる高効率廃プラスチック・有機物の分解装置及び分解システムに関する。
加えて、該分解装置は、廃プラスチックに混在し、またはその少なくとも一部に蒸着しあるいは貼着等された金属・無機物の分離・回収手段も含む。
本出願は、参照によりここに援用されるところ、日本特許出願番号2007-273216及び2007-292664からの優先権を請求する。
【背景技術】
【０００２】
近年、廃プラスチックを処理し又は再利用する方法として、種々のものが提案されており、さらに、一部は実用化されている。このような廃プラスチックの再利用、再資源化の一つの有力な方法として、廃プラスチック片を光触媒として知られている酸化チタンからなる分解触媒の存在下に紫外線を照射しながら、加熱して、廃プラスチックをガス化する方法及び装置が提案されている（特許文献１、２参照）。
また、廃プラスチック片の分解処理に用いられる触媒についても種々検討されている（特許文献３〜５）。【０００３】
しかし、上記の廃プラスチックの分解方法を用いた分解装置では、効率的な廃プラスチック分解処理を行うことはできず、高い処理費用及び大掛かりな装置が必要であった。
さらに、ポリ塩化ビニルを含む廃棄物を処理する場合では、塩化水素ガスが発生することが知られており、また、テフロン（登録商標）を処理する場合には有毒なフッ化水素が発生することが知られており、それらのガスの処理が問題となっていた。【０００４】
プラスチック・有機物は、廃棄時の処理が難しく、焼却処理ではダイオキシンなどの有害物質が発生するなどの危険がある。
また、プラスチック片には用途に応じてアルミニウムや銅などの金属、無機物が混在していたり、表面に金属が蒸着、貼着等されていたりする。このようなプラスチック片を焼却すると、有毒ガスが発生したり、焼却炉を傷めたりする恐れが有る。
そこで、プラスチック片など有機物は、埋め立て処理される場合があるが、プラスチックはそのままでは地中で分解しない。埋立地も不足してきているというのが実状である。また、生分解性プラスチックなるものが存在するが、生分解性プラスチックは分解されるまでに長期間かかり、さらに分解に必要な土地が膨大であるという欠点がある。加えて、廃プラスチック・有機物に混在している利用可能な金属、希少金属、無機物は廃プラスチック・有機物から分離することができず、埋立られたり、焼却されている。
さらには、産業廃棄物の不法投棄が大きな問題となっている。【０００５】
従来このような触媒を利用した有機物の分解は、プラスチック・有機物を破砕装置で粒状に破砕し、この有機物を、予め粒状の触媒が蓄積されたドラム形の反応槽に投入する。続いて、反応槽の内部で撹拌羽根を回転させることにより、触媒と有機物とを撹拌し、ブロアで反応槽の内部へ熱風を供給する。これにより、触媒の作用によって有機物の分解が促進され、有機物が気化するに至る。
更に、触媒は反応槽に残存するが、気化した有機物は、サイクロン集塵機を主体とする分離装置を経て、水蒸気と二酸化炭素だけが排気ガスとして大気へ放出される。このように反応槽に投入された有機物が気化すれば、その分、新たな有機物を反応槽に投入できるので、上記の工程は中断することなく連続して行うことができる。【０００６】
しかし、従来の分解装置では、効率的な廃プラスチック分解処理を行うことはできず、高い処理費用及び大掛かりな装置が必要であった。
さらに、ポリ塩化ビニルを含む廃棄物を処理する場合では、塩化水素ガス、窒素化合物が発生することが知られており、また、テフロン（登録商標）を処理する場合には有毒なフッ化水素が発生することが知られており、それらのガスの処理が問題となっていた。【０００７】
また、スクリュフィーダを使用して反応槽の触媒を循環させる廃プラスチックの分解装置も開示されている（特許文献６）。しかし、スクリュフィーダを用いた触媒の循環では、触媒に強い負荷がかかり、触媒が磨耗してしまう。触媒の磨耗の結果、反応槽内の廃棄プラスチックは十分に分解されない問題がある。さらに、触媒磨耗が激しいので、触媒の寿命が短く、頻繁に反応槽の触媒を交換しなければいけない問題があった。さらに、触媒が飛散して取り扱いが困難であった。
加えて、スクリュフィーダを使用した触媒循環では、触媒と廃プラスチックの撹拌効率が悪い問題があった。【０００８】
一方、病院、透析施設等から排出される感染性医療廃棄物による２次感染防止のため、このような廃棄物の処理方法を規定した厚生省のガイドラインが平成１年１１月７日に発表され、平成２年４月１日から施行されている。これにより、病院、透析施設等は、原則として、院内又は施設内での医療廃棄物の滅菌処理が義務付けられている。
以上により、病院内やクリニック内での施設において、大掛かりな装置を必要とせずかつ安全に廃プラスチック特にポリ塩化ビニルを含む感染性医療廃棄物の処理を可能とする分解方法及び分解装置の開発が望まれている。
【特許文献１】特開２００２−３６３３３７号公報
【特許文献２】特開２００４−１８２８３７号公報
【特許文献３】特開２００５−０６６４３３号公報
【特許文献４】特開２００５−２０５３１２号公報
【特許文献５】特開２００５−３０７００７号公報
【特許文献６】特開２００７−８０９２号公報
【発明の開示】
【発明が解決しようとする課題】
【０００９】
本発明は、以上の実情に鑑みてなされたものであり、課題は、触媒の寿命を延ばすことができ、しかも多量の廃プラスチック・有機物を効率良く分解できる分解装置及び分解システムを提供することである。
さらに、本発明は、高効率の廃プラスチック、有機物、特に多種のプラスチック類で構成される医療廃棄物、血液等の生体由来物又は該由来物が付着したプラスチックの分解装置及び分解システムを提供することを課題とする。より、詳しくは、ポリ塩化ビニルなどの塩素系プラスチック分解時に発生するHCl、生体由来及び多種の医療廃棄物プラスチック分解時に発生する硫黄化合物、窒素化合物、テフロン（登録商標）などのフッ素化合物分解時に発生するフッ化水素等の除去も可能な分解装置及び分解システムも課題とする。
【課題を解決するための手段】
【００１０】
本発明者らは上記課題を解決すべく鋭意研究を重ねた結果、回転車を使用した分解装置の循環・撹拌手段を最適化すること、混合槽を導入すること、及び発生した有害ガスを吸着除去する手段を導入することにより、高効率の廃プラスチック、有機物特に主にプラスチック類で構成される医療廃棄物の分解装置及び分解システムを確立した。
以上により、本発明を完成するに至った。【００１１】
すなわち本発明は以下よりなる。
「１．触媒循環型プラスチック・有機物の分解装置において、
触媒を循環させる循環槽と、
該循環槽内には、プラスチック及び／又は有機物を該触媒と共に循環及び／又は撹拌をするための回転車と、を備え、
該触媒と共に該プラスチック及び／又は有機物を該循環槽内を循環させることを特徴とする触媒循環型プラスチック・有機物の分解装置。
２．前記回転車は、駆動源により回転する回転軸に車輪を設け、該回転軸が前記循環槽内に挿入されていることを特徴とする前項１に記載の触媒循環型プラスチック・有機物の分解装置。
３．前記車輪に、撹拌羽根が設置されていることを特徴とする前項２に記載の触媒循環型プラスチック・有機物の分解装置。
４．前記循環槽が２枚の仕切り壁により３つの領域である右領域、左領域及び中央領域に分けられており、１又は２以上の前記回転車が３つの領域にそれぞれ設置されていることを特徴とする前項１〜３のいずれか１に記載の触媒循環型プラスチック・有機物の分解装置。
５．前記中央領域に設置された前記回転車が前記触媒と共に前記プラスチック及び／又は有機物を前記右領域及び／又は前記左領域に運搬し、さらに該右領域及び／又は該左領域に設置された前記回転車が該触媒と共に該プラスチック及び／又は有機物を該中央領域に運搬することにより、該触媒と共に該プラスチック及び／又は有機物を該循環槽内を循環させることを特徴とする前項４に記載の触媒循環型プラスチック・有機物の分解装置。
６．前記右領域及び／又は前記左領域に設置された前記回転車は、前記中央領域に設置された回転車よりも高く配置されており、循環終了後の触媒を該右領域及び／又は該左領域の下流端から前記循環槽内の新たに投入したプラスチック及び／又は有機物に投下することを特徴とする前項４又は５に記載の触媒循環型プラスチック・有機物の分解装置。
７．混合槽が前記循環槽に連結又は該循環槽内に導入されていることを特徴とする前項４〜６のいずれか１に記載の触媒循環型プラスチック・有機物の分解装置。
８．前記循環槽が１枚の仕切り壁により２つの領域である前方領域及び後方領域に分けられており、１つの回転車が該前方領域に設置されており、かつ２つの回転車が該後方領域に設定されており、該前方領域に設置された該回転車が前記プラスチック及び／又は有機物を該後方領域に運搬し、さらに該後方領域に設置された該回転車が該触媒と共に該プラスチック及び／又は有機物を該前方領域に運搬することにより、該触媒と共に該プラスチック及び／又は有機物を該循環槽内を循環させることを特徴とする前項１〜３のいずれか１に記載の触媒循環型プラスチック・有機物の分解装置。
９．前記循環槽が２枚の仕切り壁により３つの領域に分けられており、１又は２以上の前記回転車がそれぞれの両端側領域に設置されていることを特徴とする前項１〜３のいずれか１に記載の触媒循環型プラスチック・有機物の分解装置。
１０．前記循環槽が、２以上の区分に分けられており、第１区分から最終区分まで連結しており、かつ最終区分の下流端が該第１区分の上流端に連結しており、そして前記回転車が各区分に１又は２以上設置されていることを特徴とする前項１〜３のいずれか１に記載の触媒循環型プラスチック・有機物の分解装置。
１１．前記循環槽が、２以上の区分に分けられており、第１区分から最終区分まで連結しており、かつ最終区分の下流端が該第１区分の上流端に混合槽を介して連結しており、そして前記回転車が各区分に１又は２以上設置されていることを特徴とする前項１〜３のいずれか１に記載の触媒循環型プラスチック・有機物の分解装置。
１２．前記最終区分に設置されている前記回転車は、連結されている前の区分に設置されている前記回転車よりも高く配置されており、循環終了後の触媒を該最終区分の下流端から前記循環槽内の新たに投入したプラスチック及び／又は有機物に投下することを特徴とする前項１０に記載の触媒循環型プラスチック・有機物の分解装置。
１３．前記最終区分に設置されている前記回転車は、連結されている前の区分に設置されている前記回転車よりも高く配置されており、循環終了後の触媒を該最終区分の下流端から前記混合槽内の新たに投入したプラスチック及び／又は有機物に投下することを特徴とする前項１１に記載の触媒循環型プラスチック・有機物の分解装置。
１４．前記混合槽には、プラスチック及び／又は有機物を撹拌するための撹拌手段と、プラスチック及び／又は有機物を該混合槽に導入するための導入口と、循環終了後の触媒を溜めるための１又は２以上の触媒滞留領域とを、備え、
循環終了後の触媒滞留領域中の触媒をプラスチック及び／又は有機物に投下し、該プラスチック及び／又は有機物を該触媒と接触させ、続いて、該触媒並びに該プラスチック及び／又は有機物を前記第１区分に運搬することを特徴とする前項７、１１又は１３に記載の触媒循環型プラスチック・有機物の分解装置。
１５．前記混合槽には、循環終了後の触媒を溜めるための１又は２以上の触媒滞留領域と、プラスチック及び／又は有機物を収容するための１又は２以上のカゴ収納領域と、カゴを混合槽内へ搬入するための搬入口、カゴを混合槽内から搬出するための搬出口とを、備え、
プラスチック及び／又は有機物を含むカゴを該搬入口を介して該混合槽内のカゴ収納領域に搬入し、循環終了後の触媒滞留領域中の触媒を該カゴ収納領域に投下し、続いて、該プラスチック及び／又は有機物を該触媒と接触させ、続いて、該触媒を第１区分に運搬することを特徴とする前項７、１１、１３又は１４に記載の触媒循環型プラスチック・有機物の分解装置。
１６．前記混合槽は、さらに、複数のカゴを前記混合槽内へ運搬するためのカゴ運搬レーンを、備え、
１又は複数のカゴを前記搬出口を介して該混合槽から搬出すると同時に、次の１又は複数のカゴを前記搬入口を介して該混合槽へ搬入することを特徴とする前項１５に記載の触媒循環型プラスチック・有機物の分解装置。
１７．前記カゴ運搬レーンの下流端がカゴ運搬レーンの上流端と前記混合槽を介して連結しており、新たに処理するプラスチック及び／又は有機物を搬出されたカゴに入れ、該カゴを再度該混合槽内へ搬入することを特徴とする前項１６に記載の触媒循環型プラスチック・有機物の分解装置。
１８．触媒循環型プラスチック・有機物の分解装置において、
触媒を循環させる循環槽と、
該触媒とプラスチック及び／又は有機物を混合するための混合槽と、
該循環槽内には、プラスチック及び／又は有機物を該触媒と共に循環及び／又は撹拌をする手段（循環及び／又は撹拌手段）と、
該混合槽には、プラスチック及び／又は有機物を撹拌するための撹拌手段と、プラスチック及び／又は有機物を該混合槽に導入するための導入口と、循環終了後の触媒を溜めるための１又は２以上の触媒滞留領域とを、備え、
循環終了後の触媒滞留領域中の触媒をプラスチック及び／又は有機物に投下し、該プラスチック及び／又は有機物を該触媒と接触させ、続いて、該触媒並びに該プラスチック及び／又は有機物を該循環槽内に運搬することを特徴とする触媒循環型プラスチック・有機物の分解装置。
１９．前記混合槽には、さらに、プラスチック及び／又は有機物を収容するための１又は２以上のカゴ収納領域と、カゴを混合槽内へ搬入するための搬入口、カゴを混合槽内から搬出するための搬出口とを、備え、
プラスチック及び／又は有機物を含むカゴを該搬入口を介して該混合槽内のカゴ収納領域に搬入し、循環終了後の触媒滞留領域中の触媒をプラスチック及び／又は有機物に投下し、該プラスチック及び／又は有機物を該触媒と接触させ、続いて、該触媒は該循環槽内に運搬することを特徴とする前項１８に記載の触媒循環型プラスチック・有機物の分解装置。
２０．触媒循環型プラスチック・有機物の分解装置において、
触媒を循環させる循環槽と、
該触媒とプラスチック及び／又は有機物を混合するための混合槽と、
該循環槽内には、プラスチック及び／又は有機物を該触媒と共に循環及び／又は撹拌をする手段（循環及び／又は撹拌手段）と、
該混合槽には、プラスチック及び／又は有機物を収容するための１又は２以上のカゴ収納領域と、カゴを混合槽内へ搬入するための搬入口、カゴを混合槽内から搬出するための搬出口と、循環終了後の触媒を溜めるための１又は２以上の触媒滞留領域とを、備え、
プラスチック及び／又は有機物を含むカゴを該搬入口を介して該混合槽内のカゴ収納領域に搬入し、循環終了後の触媒滞留領域中の触媒をプラスチック及び／又は有機物に投下し、該プラスチック及び／又は有機物を該触媒と接触させ、続いて、該触媒は該循環槽に運搬することを特徴とする触媒循環型プラスチック・有機物の分解装置。
２１．前記混合槽には、さらに、プラスチック及び／又は有機物を撹拌するための撹拌手段と、プラスチック及び／又は有機物を該混合槽に導入するための導入口とを、備え、
循環終了後の触媒滞留領域中の触媒をプラスチック及び／又は有機物に投下し、該プラスチック及び／又は有機物を該触媒と接触させ、続いて、該触媒並びに該プラスチック及び／又は有機物を循環槽に運搬することを特徴とする前項２０に記載の触媒循環型プラスチック・有機物の分解装置。
２２．前記混合槽は、さらに、複数のカゴを混合槽内へ運搬するためのカゴ運搬レーンを、備え、
１又は複数のカゴを前記搬出口を介して該混合槽から搬出すると同時に、次の１又は複数のカゴを前記搬入口を介して該混合槽へ搬入することを特徴とする前項１８〜２１のいずれか１に記載の触媒循環型プラスチック・有機物の分解装置。
２３．前記カゴ運搬レーンの下流端がカゴ運搬レーンの上流端に混合槽を介して連結しており、新たに処理するプラスチック及び／又は有機物を搬出されたカゴに入れ、該カゴを再度該混合槽内へ搬入することを特徴とする前項２２に記載の触媒循環型プラスチック・有機物の分解装置。
２４．触媒循環型プラスチック・有機物の分解装置において、
触媒を循環させる循環槽と、
該触媒を下流端から上流端に投下させる混合槽と、
該循環槽内には、該触媒を循環及び／又は撹拌をする手段（循環及び／又は撹拌手段）と、
該混合槽には、プラスチック及び／又は有機物を収容するための１又は２以上のカゴ収納領域と、カゴを混合槽内へ搬入するための搬入口、カゴを混合槽内から搬出するための搬出口とを、備え、
プラスチック及び／又は有機物を含むカゴを該搬入口を介して該混合槽内のカゴ収納領域に搬入し、循環終了後の触媒を該プラスチック及び／又は有機物に投下し、該プラスチック及び／又は有機物を該触媒と接触させ、続いて、該触媒を該循環槽内に運搬することを特徴とする触媒循環型プラスチック・有機物の分解装置。
２５．前記混合槽は、さらに、複数のカゴを混合槽内へ運搬するためのカゴ運搬レーンを、備え、
１又は複数のカゴが前記搬出口を介して該混合槽から搬出すると同時に、次の１又は複数のカゴを前記搬入口を介して該混合槽へ搬入することを特徴とする前項２４に記載の触媒循環型プラスチック・有機物の分解装置。
２６．前記カゴ運搬レーンの下流端がカゴ運搬レーンの上流端に前記混合槽を介して連結しており、新たに処理するプラスチック及び／又は有機物を搬出されたカゴに入れ、該カゴを再度該混合槽内へ搬入することを特徴とする前項２５に記載の触媒循環型プラスチック・有機物の分解装置。
２７．前記循環槽には、カゴを循環槽内へ搬入するための搬入口と、カゴを循環槽内から搬出するための搬出口と、該循環槽の中央領域には、プラスチック及び／又は有機物を収容するための１又は２以上のカゴ収納領域とを、備えることを特徴とする前項９に記載の触媒循環型プラスチック・有機物の分解装置。
２８．前記循環槽は、さらに、複数のカゴを循環槽内へ運搬するためのカゴ運搬レーンを、備え、
１又は複数のカゴを前記搬出口を介して該循環槽から搬出すると同時に、次の１又は複数のカゴを前記搬入口を介して該循環槽へ搬入することを特徴とする前項２７に記載の触媒循環型プラスチック・有機物の分解装置。
２９．前記カゴ運搬レーンの下流端がカゴ運搬レーンの上流端と前記循環槽を介して連結しており、新たに処理するプラスチック及び／又は有機物を搬出されたカゴに入れ、該カゴを再度該循環槽内へ搬入することを特徴とする前項２８に記載の触媒循環型プラスチック・有機物の分解装置。
３０．前記混合槽において、混合槽底部及び／又は側部から担体ガスを供給し、前記触媒を混合槽内に充満させることを特徴とする前項７、１１、１３〜２９のいずれか１に記載の触媒循環型プラスチック・有機物の分解装置。
３１．前記循環槽において、循環槽底部の金網の網目から担体ガスを直接に触媒の内部に均一に分散供給可能であることを特徴とする前項１〜３０のいずれか１に記載の触媒循環型プラスチック・有機物の分解装置。
３２．さらに、以下のいずれか１以上の手段を有することを特徴とする前項１〜３１のいずれか１に記載の触媒循環型プラスチック・有機物の分解装置。
（１）無機・金属触媒処理手段
（２）担体ガス供給手段
（３）サイクロン集塵手段
（４）フィルター付き集塵手段
（５）熱交換手段
（６）プレヒート手段
（７）排気手段
（８）冷却手段
（９）熱回収手段
（１０）HCl連続測定手段
（１１）CO連続測定手段
（１２）警報手段
（１３）石灰中和処理手段
３３．前項１〜３２のいずれか１の分解装置を使用して、活性成分が酸化チタンである酸化チタンの顆粒体からなる触媒の加熱温度を420度〜560度の範囲に設定してプラスチック・有機物の分解をすることを特徴とするプラスチック・有機物の分解システム。
３４．酸化チタンの顆粒体の活性成分の酸化チタンが、以下の特性を有することを特徴とする前項３３に記載の分解システム。
（１）顆粒体の形状が略球形である
（２）全顆粒体の70％以上の顆粒体の粒子径が0.15〜1.0ｍｍである
３５．前記酸化チタンの顆粒体が、活性成分としての酸化チタンと少なくとも以下のいずれか１から選ばれる混合物であることを特徴とする前項３４に記載の分解システム。
（１）酸化アルミニウム
（２）酸化ケイ素」
【発明の効果】
【００１２】
本発明に係る分解装置及び分解システムによれば、廃プラスチック・有機物が循環槽又は混合槽に投入されると、廃プラスチック・有機物は触媒と共に好適には回転車によって循環槽を循環する。この循環工程で、廃プラスチック・有機物と触媒とが好適には回転車によって撹拌、混合されるので、触媒と廃プラスチック・有機物との接触が繰り返され、触媒と廃プラスチック・有機物の密度が均一に保たれ、触媒の作用に基づき効率的分解が促進される。これにより、循環槽に投入された廃プラスチック・有機物は、循環槽を約１周（１循環）するまでの間に気化される。
さらに、後述する実施態様７では、循環槽内での２方向の触媒循環を可能とした。該２方向の触媒循環は、同一の容積での１方向の触媒循環と比較して、触媒と廃プラスチック・有機物の接触効率を高くすることができるので高効率分解を行うことができる。
加えて、本発明に係る分解装置及び分解システムによれば、触媒を循環するための反応槽とは別途に混合槽を導入することによりさらに効率的に分解が促進される。
さらに、本発明の分解装置及び分解システムによれば、酸化触媒処理手段、さらに好適には石灰中和処理手段を備えるので、高効率で廃プラスチック、有機物、特に多種のプラスチック類で構成される医療廃棄物などの産業廃棄物、血液等の生体由来物又は該由来物が付着したプラスチックを処理することができる。さらに、分解工程中にHCI、フッ化水素、硫黄化合物、窒素化合物等を発生するプラスチック、有機物又は血液等の生体由来物、フッ化水素を発生するフッ素化合物の処理も容易に行うことができる。
さらに、本発明の触媒循環型廃プラスチック・有機物の分解装置では、回転車を使用することにより、従来のスクリューフィダを使用する分解装置と比較して、触媒使用量が同じでも反応槽（分解槽）の容積を小さくすることができる。
さらに、本発明の触媒循環型廃プラスチック・有機物の分解装置では、回転車を使用することにより、従来のスクリューフィーダを使用する分解装置と比較して、触媒寿命を約５〜２０倍にすることができる。
さらに、本発明の触媒循環型廃プラスチック・有機物の分解装置では、従来の触媒循環型廃プラスチック・有機物の分解装置と比較して、反応槽（分解槽）の容積が同じでも、約１/３〜２/５の大きさにすることができる。
さらに、本発明の触媒循環型廃プラスチック・有機物の分解装置では、従来の触媒循環型廃プラスチック・有機物の分解装置と比較して、触媒量が同じでも、単位当たりの廃プラスチック・有機物の処理量を約２倍以上に向上させることに成功した。
以上の結果、本発明の分解装置では、分解装置外に有害なガスを排出することなく、分解装置のコンパクト化、高分解効率を達成したことにより、病院等の廃棄物が発生する現場に分解装置を設置して、該廃棄物を処理することができる。
【発明を実施するための最良の形態】
【００１３】
本発明に係る分解装置及び分解システムについて図面を参照しながら説明する。以下に述べる駆動源、ブロア、又は回転車の他、自明の技術については、その図示又は説明は省略する場合がある。また、当該分解装置の形状、各要素の配置、及び尺度については、説明の便宜を優先して図示しており、実際のものではない。【００１４】
（触媒循環型廃プラスチック・有機物の分解装置１の実施態様１）
本発明の触媒循環型廃プラスチック・有機物の分解装置１の実施態様１は、図１、２に示すように、触媒２を内部に循環する循環槽３と、循環槽３内に投入される廃プラスチック・有機物４を触媒２と共に循環及び／又は撹拌するための回転車５とを、少なくとも備える。さらに、担体ガス（空気）供給手段としての送風ブロア７、分解反応に必要な熱を供給する加熱手段８、送風チャンバ９、排気口１０も好適には備える。
なお、図２の循環層３は、３角形の形状を有し、３個の区分に仕切られており（第１区分１１、第２区分１２、第３区分１３（最終区分））、第１区分から最終区分まで連結しており、かつ最終区分の下流端２５が第１区分の上流端に混合槽２３を介して連結している。これにより、触媒２は、循環槽３を循環することができる。
各区分では、触媒２並びに廃プラスチック及び／又は有機物４を次の区分に運搬するために、又は触媒２並びに廃プラスチック及び／又は有機物４を撹拌するために、１又は２以上の回転車５が設置されている。【００１５】
（触媒循環型廃プラスチック・有機物の分解装置１の実施態様２）
本発明の触媒循環型廃プラスチック・有機物の分解装置１の実施態様２では、図３に示すように、触媒２を内部に循環する循環槽３と、循環槽３内に投入される廃プラスチック・有機物４を触媒２と共に循環及び／又は撹拌するための回転車５とを、少なくとも備える。さらに、担体ガス（空気）供給手段としての送風ブロア７、分解反応に必要な熱を供給する加熱手段８、送風チャンバ９、排気口１０も好適には備える。
なお、図３の反応層３は、長方形の形状を有し、４個の区分に仕切られており（第１区分１１、第２区分１２、第３区分１３、第４区分１４（最終区分））、第１区分から最終区分まで混合槽２３を介して連結している。これにより、触媒２は、循環槽３を循環することができる。
上記実施態様１と同様に、各区分では、１又は２以上の回転車５が設置されている。
加えて、触媒２及び廃プラスチック・有機物４が、循環の流れに乗れず、各区分の角に蓄積するのを防ぐために又は触媒２の流れを変えるためのパドル１７を好適には設置する。なお、各実施態様でも同様に、各区分にパドル１７を設置しても良い。【００１６】
（触媒循環型廃プラスチック・有機物の分解装置１の実施態様３）
本発明の触媒循環型廃プラスチック・有機物の分解装置１の実施態様３では、図４に示すように、触媒２を内部に循環する循環槽３と、循環槽３内に投入される廃プラスチック・有機物４を触媒２と共に循環及び／又は撹拌するための回転車５とを、少なくとも備える。さらに、担体ガス（空気）供給手段としての送風ブロア７、分解反応に必要な熱を供給する加熱手段８、送風チャンバ９、排気口１０も好適には備える。
なお、図４の反応層３は、台形の形状を有し、４個の区分に仕切られており（第１区分１１、第２区分１２、第３区分１３、第４区分（最終区分）１４）、第１区分から最終区分まで連結しており、かつ最終区分の下流端２５が第１区分の上流端に混合槽２３を介して連結している。これにより、触媒２は、循環槽３を循環することができる。なお、好適には、反応槽３の上面から見た場合には、第２区分が上辺、第４区分（最終区分）が底辺になり、かつ第２区分長が第４区分長（最終区分）より短い台形の構造が好ましい。【００１７】
（触媒循環型廃プラスチック・有機物の分解装置１の実施態様４）
本発明の触媒循環型廃プラスチック・有機物の分解装置１の実施態様４では、図５に示すように、触媒２を内部に循環する循環槽３と、循環槽３内に投入される廃プラスチック・有機物４を触媒２と共に循環及び／又は撹拌するための回転車５とを、少なくとも備える。さらに、担体ガス（空気）供給手段としての送風ブロア７、分解反応に必要な熱を供給する加熱手段８、送風チャンバ９、排気口１０も好適には備える。
なお、図５の循環槽３は、六角形の形状を有し、６個の区分に仕切られており（第１区分１１、第２区分１２、第３区分１３、第４区分１４、第５区分１５、第６区分１６（最終区分））、第１区分から最終区分まで連結しており、かつ最終区分の下流端２５が第１区分の上流端に混合槽２３を介して連結している。これにより、触媒２は、循環槽３を循環することができる。【００１８】
本発明の触媒循環型廃プラスチック・有機物の分解装置１のその他の実施態様では、上記循環槽３が、５角形、８角形及び９角形の形状を有し、それぞれ５、８及び９の区分に仕切られている。
なお、長方形の２つの区分を平行に連結した循環槽３の態様も本発明の触媒循環型廃プラスチック・有機物の分解装置１に含まれる。【００１９】
（触媒循環型廃プラスチック・有機物の分解装置１の実施態様５）
本発明の触媒循環型廃プラスチック・有機物の分解装置１の実施態様５では、図６に示すように、触媒２を内部に循環する循環槽３は、循環槽３に投入される廃プラスチック・有機物４を触媒２と共に循環及び／又は撹拌するための２以上の回転車５と、１又は２以上の穴を有する仕切り壁２０を、少なくとも備える。さらに、担体ガス（空気）供給手段としての送風ブロア７、分解反応に必要な熱を供給する加熱手段８、送風チャンバ９、排気口１０も好適には備える。
なお、図６の循環槽３内では、２つの回転車５は、１又は２以上の穴を有する仕切り壁２０を介して、互いに異なる方向に回転している。これにより、一つの回転車で持ち上げられた触媒２及び／又は廃プラスチック・有機物４は、該穴を介して、仕切り壁２０の向こう側に運搬される。同様に、もう一方の回転車５で持ち上げられた触媒２及び／又は廃プラスチック・有機物４は、該穴を介して、仕切り壁２０の向こう側に運搬される。この２つの回転車の回転により、触媒２及び／又は廃プラスチック・有機物４は、循環槽３を循環することができる。特に、１枚の車輪５１に複数の撹拌羽根５３を有するいわゆる片車輪（参照：図８）を使用することにより、撹拌羽根５３と仕切り壁２０間に蓄積している触媒２及び／又は廃プラスチック・有機物４を該穴を介して通過させ、容易に仕切り壁２０の向こう側に運搬できる。【００２０】
上記実施態様を示した図２〜６では、混合槽２３を触媒循環型廃プラスチック・有機物の分解装置１に設置している。しかし、混合槽２３を触媒循環型廃プラスチック・有機物の分解装置１に設置しない場合には、循環槽３に投入口６（参照：図１）を設置することにより、予め数cm３〜数mm３程度に粉砕した廃プラスチック・有機物４を投入口６を介して循環槽３に投入することができる。好ましくは、投入口６は、第１区分の上流端に設置する。これにより、最終区分の下流端２５の付近の循環後の触媒２を投入した廃プラスチック・有機物４に投下することができる。
なお、投入口６は、廃プラスチック・有機物４の投入だけに利用されるのではなく、触媒２の投入口としても利用することもできる。【００２１】
本発明の上記の触媒循環型廃プラスチック・有機物の分解装置１の実施態様では、図２〜５の各区分の内側の領域１９は、以下に述べるモータ等の駆動源、加熱手段８、送風チャンバ９、カゴ運搬レーン６０１等の装置を収納可能である。これにより、本発明の触媒循環型廃プラスチック・有機物の分解装置は、コンパクト化に大きく成功した。
本発明の触媒循環型廃プラスチック・有機物の分解装置では、回転車を使用することにより、従来のスクリューフィーダを使用する分解装置と比較して、触媒使用量が同じでも反応槽（分解槽）の容積を小さくすることができる。
さらに、本発明の触媒循環型廃プラスチック・有機物の分解装置では、回転車を使用することにより、従来のスクリューフィーダを使用する分解装置と比較して、触媒寿命を約５〜２０倍にすることができる。これは、従来のスクリューフィーダは、回転車と比較して、触媒磨耗が非常に大きいからである。
加えて、本発明の触媒循環型廃プラスチック・有機物の分解装置では、従来の触媒循環型廃プラスチック・有機物の分解装置と比較して、反応槽の容積が同じでも、約１/３〜２/５の大きさにすることができる。【００２２】
（回転車）
回転車５は、駆動源により回転する回転軸１８に車輪５１を設け、さらに回転軸１８は反応槽３に挿入されている。回転車５は、触媒２及び／又は廃プラスチック・有機物４を撹拌しながら循環槽の循環方向（次の区分の方向）に運搬する機能（水平方向運搬機能）、低位置から高位置に運搬する機能（上下方向運搬機能）を有する。
回転車５は、図７に示すように、２枚の車輪５１間に複数の撹拌羽根５３を有する構造である、いわゆる水車構造をしている。
また、回転車５は、図８に示すように、１枚の車輪５１の片側に複数の撹拌羽根５３が設置されている構造である、いわゆる片車輪構造でも良い。
さらには、１枚の車輪５１の両側に複数の撹拌羽根５３が設置されている構造の片車輪構造でも良い。また、片車輪構造では、循環槽の容積を抑えることができるので、冷却手段、加熱手段を循環槽３に容易に設置することができる。
好ましくは、車輪５１には、複数の穴５２が設置されている。触媒２、廃プラスチック及び／又は有機物４は、穴５２を介して、自由に移動可能となり、より撹拌効率が高まる。
さらに、好ましくは、車輪５１及び／又は撹拌羽根５３には、補助羽根５４が設置されている。補助羽根５４は、回転車の循環方向への撹拌とは別方向の撹拌を可能とするので、撹拌効率を挙げることができる。さらに、突起５５を撹拌羽根５３に設置することができる。これにより、触媒２が粉状であるか、又は粒状であるかを問わず、触媒２及び廃プラスチック・有機物４が塊となるのを阻止することができる。
また、図１では、回転車５の回転方向は、反時計回りの回転を示しているが、当然に回転軸１８の回転方向を変えることにより、時計回りの回転も行うことができる。また、回転軸１８は、モータ等の駆動源により回転される。【００２３】
（混合槽）
本発明の混合槽２３は、大きく分けると以下の３つに分類される。
（Ａ）廃プラスチック及び／又は有機物を撹拌するための撹拌手段と、廃プラスチック及び／又は有機物を該混合槽に導入するための導入口と、循環終了後の触媒を溜めるための１又は２以上の触媒滞留領域とを備える混合槽（参照：図９）。
（Ｂ）廃プラスチック及び／又は有機物を収容するための１又は２以上のカゴ収納領域と、カゴを混合槽内へ搬入するための搬入口、カゴを混合槽内から搬出するための搬出口と、循環終了後の触媒を溜めるための１又は２以上の触媒滞留領域とを備える混合槽（参照：図１０）。
（Ｃ）上記（Ａ）及び（Ｂ）の混合槽の機能を備える混合槽
なお、循環槽３と上記いずれかの混合槽２３とを連結するため（触媒及び／又は廃プラスチック・有機物を運搬するため）の接続管２３４をいずれの位置に設置しても良い。
さらに、混合槽２３では、触媒滞留領域中に、カゴ収納領域を含んでも良いし、触媒滞留領域中とは別にカゴ収納領域を設けても良い。加えて、触媒滞留領域は、好適には２以上配置する（第１触媒滞留領域２４０、第２触媒滞留領域２４１）。
また、混合２３では、好適には循環終了後の触媒２を混合槽２３内に導入するための触媒導入口２３２を設ける。【００２４】
本発明の上記（Ａ）の態様の混合槽２３は、図９に示すように、循環後の触媒２を溜めるための触媒滞留領域（第１触媒滞留領域２４０、第２触媒滞留領域２４１）、廃プラスチック・有機物を混合槽に導入するための廃プラスチック・有機物の導入口２３３、導入された廃プラスチック・有機物を撹拌するための撹拌手段２３１を少なくとも備える。
なお、撹拌手段２３１は、廃プラスチック・有機物を触媒と撹拌するための手段（装置）である。よって、廃プラスチック・有機物と触媒を撹拌できるような手段であれば特に限定されないが、例えば上記回転車５、スクリュフィーダ等が例示される。加えて、撹拌手段２３１は、廃プラスチック・有機物４と循環終了後の触媒２を良く混合した後に、両者を接続管２３４を介して循環槽３に送り出す役割も有する。
触媒導入口２３２は、触媒２を廃プラスチック・有機物４に投下する量を調整する役割を有する。さらに、該量を調整するための弁２４２を設置しても良い。また、触媒導入口２３２は、触媒２を常に収納しておくことが好ましい。該触媒２は、混合槽２３内で発生したガスを外部に排出するのを防ぐための栓の役割も有する。
廃プラスチック・有機物の導入口２３３には、廃プラスチック・有機物を粉砕するためのスクリューフィーダを設置しても良い。又は、自体公知の破砕手段を混合槽２３又は反応槽３に接続しても良い。
これにより、本発明の混合槽２３は、循環後の触媒２（分解途中の廃プラスチック・有機物が混入していない触媒）を廃プラスチック・有機物と接触及び／又は撹拌させることができる装置である。これにより、本発明の混合槽２３を備えた分解装置１は、従来の分解装置とは異なり、高効率で廃プラスチック・有機物を分解することができる。【００２５】
本発明の上記（Ｂ）の態様の混合槽２３は、図１０に示すように、循環後の触媒２を溜めるための触媒滞留領域（第１触媒滞留領域２４０、第２触媒滞留領域２４１）、廃プラスチック及び／又は有機物を収容するための１又は２以上のカゴ収納領域２３５と、カゴを混合槽内へ搬入するための搬入口２３６、カゴを混合槽内から搬出するための搬出口２３７とを少なくも備える。
なお、カゴを混合槽内へ搬入するための搬入口２３６は、カゴを混合槽内から搬出するための搬出口２３７の役割を兼ねることができる。
さらに、触媒２を循環槽３に運搬する（滑り落とす）ためのシュート２３９を設置しても良い。加えて、シュート２３９には、撹拌手段２３１を設置しても良い。
これにより、本発明の混合槽２３は、廃プラスチック・有機物、例えば固形廃棄物、金属の付着した廃棄物、より詳しくは、実験動物等を未処理の状態で処理することができる装置である。さらに、本発明の混合槽２３は、循環後の触媒２（分解途中の廃プラスチック・有機物が混入していない触媒）を該実験動物等と接触及び／又は撹拌させることができる装置である。これにより、本発明の混合槽２３を備えた分解装置１は、従来の分解装置と比較して、未処理の実験動物等を低温条件下でほぼ完全に分解することができる。【００２６】
本発明の上記（Ｃ）の態様の混合槽２３は、図１１に示すように、上記（Ａ）及び（Ｂ）の混合槽２３の両方の機能を備える。
これにより、上記（Ａ）及び（Ｂ）の利点の両方を有する混合槽である。【００２７】
本発明の上記（Ａ）〜（Ｃ）の混合槽２３に投入する廃プラスチック及び／又は有機物は、少なくとも廃プラスチックを含んでいることが好ましい。廃プラスチックは、触媒との接触により発熱反応を起こし、循環槽３と混合槽２３内部の温度を最適な触媒活性温度に保つことができる。これにより、外部からの連続した熱供給を必要とすることなく最適な触媒活性温度領域に保つことができる。
また、投下する触媒量を制御する網６０５は、好適には金網であり、触媒２を上流端から下流端へ均一に投下（流下）させる。好適には、網６０５は２枚以上の金網で構成されており、複数の金網をスライドさせることで、触媒投下（流下量）を制御することができる。また、スライドゲート等を使って、投下する触媒量を制御しても良い。加えて、図９〜１２では、触媒２は、反応槽内の全面に投下しているが、一部の面に投下しても良い。  さらに、混合槽の底部及び／又は側部、さらには触媒導入口の付近から担体ガスを供給する手段２３８を混合槽２３に導入しても良い。混合槽の底部及び／又は側部、さらには触媒導入口の付近から担体ガス、好ましくは空気を供給することにより、触媒を混合槽内に充満させて、触媒と廃プラスチック及び／又は有機物の接触効率を向上させることができる。【００２８】
（カゴ運搬レーン）
本発明の上記（Ｂ）、（Ｃ）の混合槽２３では、好適には、図１２に示すように、複数のカゴ６０２を混合槽内へ運搬するためのカゴ運搬レーン６０１を備える。また、カゴ６０２を混合槽内に搬入する時に、混合槽内の熱源が放出されることを防ぐために、カゴ６０２を混合槽内へ搬入するための搬入口２３６及びカゴを混合槽内から搬出するための搬出口２３７は、二段シャッターであっても良い。
なお、カゴ運搬レーン６０１は、好適には、熱源が外部に放出させるのを防ぐために自体公知の断熱材で覆われていても良い。また、カゴ運搬レーン６０１のカゴ６０２の駆動源は、特に限定されないが、例示としてベルトコンベアー等が挙げられる。
また、カゴ６０２は、好適には金網であり、流下してくる触媒２は通過可能であるが、さらには廃プラスックに混在し、またはその少なくとも一部に蒸着しあるいは貼着等された金属・無機物は通過不能とする網である。さらに、触媒２と廃プラスチック・有機物４を効率良く接触させるために、カゴ６０２を混合槽２３内で回転及び／又は振動させる手段を導入しても良い。
以上により、１又は複数のカゴ６０２を搬出口２３７を介して該混合槽から搬出すると同時に、次の１又は複数のカゴを搬入口２３６を介して混合槽２３へ搬入するが可能である。【００２９】
本発明のカゴ運搬レーン６０１は、好適には、図１３に示すように、カゴ運搬レーンの下流端６０４がカゴ運搬レーン６０１の上流端６０３に混合槽２３を介して連結している。
これにより、新たに処理する廃プラスチック及び／又は有機物を搬出されたカゴに入れし、該カゴを再度混合槽２３へ搬入することで、廃プラスチック・有機物を分解することが可能である。なお、カゴの運搬の流れ６０６に示すが、当然に逆方向の流れでも良い。
よって、本発明のカゴ運搬レーンが設置された触媒循環型廃プラスチック・有機物の分解装置１では、新たに処理する廃プラスチック・有機物をカゴに投入することにより、半自動的に廃プラスチック・有機物４を分解処理することができる。
また、カゴ運搬レーン６０１は、各区分の内側の領域１９に設置しても良い。【００３０】
（循環後の触媒の投下方法）
上記循環槽の最終区分に設置された回転車５は、連結されている前の区分に設置された回転車５よりも高く配置されており、循環終了後の触媒を該最終区分の下流端から前記循環槽内又は前記混合槽内の新たに投入した廃プラスチック及び／又は有機物の真上に投下する、より詳しくは、ふりかける。
なお、好ましくは、各区分に設置された回転車５は、連結されている前の区分に設置された回転車５よりも高く配置することにより、最終区分を第１区分よりも高く設置する。
特に、投入された直後の廃プラスチック・有機物４は、触媒２と混合される前に熱せられると、有害ガスを発生する。本発明の分解装置の特徴として、投入された直後の廃プラスチック・有機物４がすぐに触媒２と混合されることが可能であり、それにより有害ガス発生を著しく抑えること及び／又は効率的に廃プラスチック・有機物４を分解することを可能にした。さらに、本発明の分解装置の特徴として、図１１、図１２に示すように、カゴ内の廃プラスチック・有機物４は、触媒２の層に埋没させる。より詳しくは、廃プラスチック・有機物４を含むカゴを触媒２の層内に搬入する。そして、循環終了後の触媒を埋もれていないカゴの上面に投下、より詳しくは、ふりかけることにより、廃プラスチック・有機物４を含むカゴを完全に触媒２の層に埋没させる。これにより、本発明の分解装置では、従来完全に分解することが困難であったラット等の実験動物を有害ガス発生を抑えながら効率的にほぼ完全に分解することを可能にした。【００３１】
（触媒循環型廃プラスチック・有機物の分解装置１の別の実施態様）
本発明の触媒循環型廃プラスチック・有機物の分解装置１の別の実施態様として、触媒を循環させる循環槽３と、上記（Ａ）〜（Ｃ）のいずれか１の混合槽２３と、循環槽内には、廃プラスチック及び／又は有機物を該触媒と共に循環及び／又は撹拌をする手段（循環及び／又は撹拌手段）とを、少なくとも備える。
なお、該循環及び／又は撹拌手段７０１（参照：図１４）は、触媒並びに／又は廃プラスチック・有機物４を撹拌しながら循環槽の循環方向（次の区分の方向）に運搬する機能（水平方向運搬機能）、低位置から高位置に運搬する機能（上下方向運搬機能）を可能とするものなら特に限定されない。なお、例示として、スクリューフィーダ、コンベヤ特にパケットコンベヤ、パドル、ピストン、上記回転車５が挙げられる。しかしながら、触媒２の磨耗の低減、撹拌効率を考慮すると、パケットコンベヤ、上記回転車５が好ましい。【００３２】
（触媒循環型廃プラスチック・有機物の分解装置１のその他の実施態様）
本発明の触媒循環型廃プラスチック・有機物の分解装置１のその他の実施態様では、図１４に示すように、触媒を循環させる循環槽３と、該触媒を上流端７０２から下流端７０３に投下する混合槽２３と、該循環槽内には、該触媒を循環及び／又は撹拌をする手段（循環及び／又は撹拌手段７０１）と、該混合槽には、廃プラスチック及び／又は有機物を収容するための１又は２以上のカゴ収納領域２３５と、カゴを混合槽内へ搬入するための搬入口２３６、カゴを混合槽内から搬出するための搬出口２３７とを、備え、廃プラスチック及び／又は有機物を含むカゴを搬入口２３６を介して混合槽内のカゴ収納領域２３５に搬入し、循環終了後の触媒を該廃プラスチック及び／又は有機物に投下し、該廃プラスチック及び／又は有機物を触媒２と接触させ、続いて、触媒２を循環槽内に運搬することを特徴とする触媒循環型廃プラスチック・有機物の分解装置である。【００３３】
（触媒循環型廃プラスチック・有機物の分解装置１の実施態様６）
本発明の触媒循環型廃プラスチック・有機物の分解装置１の実施態様６では、図１５に示すように、循環槽３が２枚の仕切り壁２０により３つの領域（２つの両端領域８０１及び中央領域８０２）に分けられており、１又は２以上の回転車５が２つの両端領域８０１にそれぞれ設置されている。
さらに、担体ガス（空気）供給手段としての送風ブロア７、分解反応に必要な熱を供給する加熱手段８、送風チャンバ９、排気口１０も好適には備える。
仕切り壁２０は、１又は２以上の穴を有しても良い。これにより、一つの回転車５で持ち上げられた触媒２及び／又は廃プラスチック・有機物４は、該穴を介して、仕切り壁２０の向こう側の中央領域８０２に運搬される。同様に、もう一方の回転車５で持ち上げられた触媒２及び／又は廃プラスチック・有機物４は、該穴を介して、仕切り壁２０の向こう側の中央領域８０２に運搬される。この２つの回転車の回転により、触媒２及び／又は廃プラスチック・有機物４は、循環槽３を循環することができる。特に、１枚の車輪５１に複数の撹拌羽根５３を有するいわゆる片車輪（参照：図８）を使用することにより、撹拌羽根５３と仕切り壁２０間に蓄積している触媒２及び／又は廃プラスチック・有機物４を該穴を介して通過させ、容易に仕切り壁２０の向こう側の中央領域８０２に運搬できる。
さらに、２つの回転車５は、触媒２及び／又は廃プラスチック・有機物４を上に持ち上げるのと同時に、仕切り壁に対して略垂直方向にも触媒２及び／又は廃プラスチック・有機物４を運搬する。これは、回転車５の回転方向に対する触媒の横吐き出し機能である。これにより、触媒２及び／又は廃プラスチック・有機物４は、仕切り壁を越えて、中央領域８０２に運搬される。なお、中央領域８０２には、未粉砕の固形産業廃棄物等を直接投入することができる。【００３４】
さらに、図１６に示すように、循環槽３は、カゴを循環槽内へ搬入するための搬入口２３６と、カゴを循環槽内から搬出するための搬出口２３７と、該循環槽の中央領域８０２には、廃プラスチック及び／又は有機物を収容するための１又は２以上のカゴ収納領域２３５とを備える。
加えて、循環槽３は、複数のカゴを前記循環槽内へ運搬するためのカゴ運搬レーン６０１を備える。また、前記カゴ運搬レーン６０１の下流端６０４が該カゴ運搬レーンの上流端６０３と循環槽３を介して連結しても良い。【００３５】
上記実施態様の分解装置の特徴として、カゴ内の廃プラスチック・有機物４は、中央領域８０２中の触媒２の層に埋没させる。より詳しくは、廃プラスチック・有機物４を含むカゴを触媒２の層内に搬入する。そして、回転車５の回転により持ち上げられた触媒２を埋もれていないカゴの上面に投下、より詳しくは、ふりかけることにより、廃プラスチック・有機物４を含むカゴを完全に触媒２の層に埋没させる。【００３６】
（触媒循環型廃プラスチック・有機物の分解装置１の実施態様７）
本発明の触媒循環型廃プラスチック・有機物の分解装置１の実施態様７では、図１７に示すように、循環槽３が２枚の仕切り壁２０により３つの領域（右領域９０１、左領域９０３及び中央領域９０２）に分けられている。そして、１又は２以上の回転車５が３つの領域（右領域９０１、左領域９０３及び中央領域９０２）にそれぞれ設置されている。なお、好ましくは、各領域に２つの回転車５を設置する。
さらに、担体ガス（空気）供給手段としての送風ブロア７、分解反応に必要な熱を供給する加熱手段８、送風チャンバ９、排気口１０も好適には備える。
仕切り壁２０は、１又は２以上の穴を有しても良い。これにより、中央領域９０２の回転車５−２で持ち上げられた触媒２及び／又は廃プラスチック・有機物４は、該穴を介して、仕切り壁２０の向こう側の右領域９０１及び左領域９０３に運搬される。
同様に、回転車５−４及び５−６で持ち上げられた触媒２及び／又は廃プラスチック・有機物４は、該穴を介して、仕切り壁２０の向こう側の中央領域９０２に運搬される。なお、回転車５−１、５−３及び５−５は、回転方向に触媒２及び／又は廃プラスチック・有機物４を運搬する。この６つの回転車の回転により、触媒２及び／又は廃プラスチック・有機物４は、循環槽３を循環することができる。
特に、１枚の車輪５１に複数の撹拌羽根５３を有するいわゆる片車輪（参照：図８）を使用することにより、撹拌羽根５３と仕切り壁２０間に蓄積している触媒２及び／又は廃プラスチック・有機物４を該穴を介して通過させ、容易に仕切り壁２０の向こう側の中央領域９０２、右領域９０１又は左領域９０３に運搬できる。
さらに、６つの回転車５は、触媒２及び／又は廃プラスチック・有機物４を上に持ち上げるのと同時に、仕切り壁に対して略垂直方向にも触媒２及び／又は廃プラスチック・有機物４を運搬する。これは、回転車５の回転方向に対する触媒及び／又は廃プラスチック・有機物４の横吐き出し機能である。
なお、本実施例では、新規に循環槽３内での２方向の触媒循環を達成するこができた（参照：図１７の触媒及び／又は廃プラスチック・有機物の流れ９０６）。該２方向の触媒循環は、同一の容積での１方向の触媒循環と比較して、触媒２と廃プラスチック・有機物４の接触効率を高くすることができるので廃プラスチック・有機物の高効率分解を達成できた。【００３７】
加えて、右領域９０１及び／又は左領域９０３に設置された回転車５は、中央領域９０２に設置された回転車５よりも高く配置することにより、循環終了後の触媒２を該右領域及び／又は左領域の下流端９０４から前記循環槽３内の新たに投入した廃プラスチック及び／又は有機物４に投下することが可能になる。【００３８】
さらに、図１８に示すように、各回転車の回転方向を適宜逆方向にすることにより、触媒２の循環方向を図１７の循環方向と逆にすることができる。
なお、図１７に記載の触媒２の循環方向は、図１８に記載の触媒２の循環方向と比較して、投入した廃プラスチック・有機物４の上面に対して２方向から触媒２を落下することができるので触媒２と廃プラスチック・有機物４の接触効率を高くすることができる。【００３９】
さらに、図１９に示すように、循環槽３には、補助撹拌手段９０５、廃プラスチック及び／又は有機物を収容するための１又は２以上のカゴ収納領域２３５と、カゴを混合槽内へ搬入するための搬入口２３６、カゴを混合槽内から搬出するための搬出口２３７を設置しても良い。なお、補助撹拌手段９０５は、スクリューフィーダ、コンベヤ特にパケットコンベヤ、パドル、ピストン、上記回転車５のいずれも利用可能である。【００４０】
加えて、図２０に示すように、混合槽２３を循環槽３に連結又は導入しても良い。さらに、上記説明したカゴ運搬レーン６０１を混合槽２３に連結しても良い。【００４１】
（触媒循環型廃プラスチック・有機物の分解装置１の実施態様８）
本発明の触媒循環型廃プラスチック・有機物の分解装置１の実施態様８では、図２１に示すように、循環槽３が１枚の仕切り壁２０により２つの領域（前方領域１００１、後方領域１００２）に分けられている。そして、１又は２以上の回転車５が２つの領域（前方領域１００１、後方領域１００２）にそれぞれ設置されている。なお、好ましくは、前方領域１００１では、１つの回転車５を設置し、後方領域１００２では、２つの回転車５を設置する。
さらに、担体ガス（空気）供給手段としての送風ブロア７、分解反応に必要な熱を供給する加熱手段８、送風チャンバ９、排気口１０も好適には備える。
仕切り壁２０は、１又は２以上の穴を有しても良い。これにより、前方領域１００１の回転車５−７で持ち上げられた触媒２及び／又は廃プラスチック・有機物４は、該穴を介して、仕切り壁２０の向こう側の後方領域１００２に運搬される。
同様に、回転車５−９で持ち上げられた触媒２及び／又は廃プラスチック・有機物４は、該穴を介して、仕切り壁２０の向こう側の前方領域１００１に運搬される。なお、回転車５−８は、回転方向に触媒２を運搬する。
この３つの回転車の回転により、触媒２及び／又は廃プラスチック・有機物４は、循環槽３を循環することができる。特に、１枚の車輪５１に複数の撹拌羽根５３を有するいわゆる片車輪（参照：図８）を使用することにより、撹拌羽根５３と仕切り壁２０間に蓄積している触媒２及び／又は廃プラスチック・有機物４を該穴を介して通過させ、容易に仕切り壁２０の向こう側の前方領域１００１又は後方領域１００２に運搬できる。
さらに、３つの回転車５は、触媒２及び／又は廃プラスチック・有機物４を上に持ち上げるのと同時に、仕切り壁に対して略垂直方向にも触媒２及び／又は廃プラスチック・有機物４を運搬する。これは、回転車の回転方向に対する触媒及び／又は廃プラスチック・有機物４の横吐き出し機能である。【００４２】
加えて、好ましくは、前方領域１００１の回転車５−７を、片車輪にすることにより、反応槽内部にスペースができる。廃プラスチック及び／又は有機物を収容するための１又は２以上のカゴ収納領域２３５を該スペース内に設置可能である。
さらに、下記で説明する金属及び／又は無機物分離・回収手段２１を前方領域１００１の下流端１００３に設置することがことができる。【００４３】
（金属及び／又は無機物分離・回収手段）
金属及び／又は無機物分離・回収手段２１（参照：図２、２１）を上記いずれの実施例の触媒循環型廃プラスチック・有機物の分解装置に備えることができる。該分離・回収手段２１は、触媒２の最大径が通過することができる程度の網目を有する金網２１１を、循環槽３又は混合槽２３のいずれかの位置にでも嵌めても良い。しかし、好適には循環槽３の最終区分の下流端付近、接続管２３４の付近に嵌める。そして、金網に止められた金属・無機物を回収できるポケット２１２を該金網２１１と接続する。ここで、該金網２１１はポケット２１２よりも高い位置に設定すること（金網からポケットに傾斜をつけること）により金網に止められた金属・無機物はポケット２１２に自重で滑り落ちていく、又は該金網２１１をモータ等により振動させることにより金網に止められた金属・無機物をポケット２１２に落とすことでも、金属・無機物を回収することができる。
さらに、ポケット２１２は２段シャッターになっており、循環中に随時金属・無機物を回収することができる。しかし、金属・無機物がある程度溜まったところで、ポケット２１２から金属・無機物を回収すれば良い。
よって、本発明では、金属及び／又は無機物分離・回収手段２１が金属・無機物を該ポケット２１２から分離・回収するとき、循環及び／又は撹拌手段（回転車５）を停止させる必要がないので、廃プラスチック・有機物の処理量を高く維持させることができる。しかも、分離・回収手段が金属・無機物を選別するとき、循環槽３又は混合槽２３を開放する必要がないので、当該分解装置及び分解システムの熱効率を高く保つことができる。当然に循環槽３又は混合槽２３を一端開放した後に、金属及び／又は無機物分離・回収を行うこともできる。
加えて、廃プラスチック・有機物４に高価な金属が混在している場合において、該金属を効率的に回収する方法として、金属・無機物取り出し口２２（参照：図２）を使用する。例えば、予め高価な金属が混在している廃プラスチック・有機物４を触媒循環の邪魔にならない形状（例：立方体、多面体）の金網（触媒２は通過可能な程度の金網）に入れた状態で循環槽３又は混合槽２３に投入する。
該金網は循環槽を循環する工程で該金網中の廃プラスチック・有機物４は気化されるが、気化されない金属は金網中に残存する。そして、該形状の金網は、金属・無機物取り出し口２２から直接回収する。これにより、該球体形状の金網中に残存する金属を効率的に回収することができる。
さらに、上記の場合と異なり、回収する金属の径が触媒２の径より小さい場合は、金属及び／又は無機物分離・回収手段２１として、循環槽３のいずれかの区分又は混合槽２３内に金網を設置するのが好ましい。金網の下に金属収集容器を載置すれば、自動的に廃プラスチック・有機物４から分離された金属を収集することができる。さらには、回収する金属及び／又は無機物、触媒２並びに廃プラスチック・有機物４を含む混合物を循環の流れから一旦出して、風力、比重、磁気で分離し、金属を除く触媒２及び廃プラスチック・有機物４を循環の流れにもどすこともできる。
加えて、金属・無機物が付着した廃プラスチック・有機物をカゴ６０２に入れて、混合槽２３で分解処理した場合には、カゴ６０２を混合槽２３から搬出する。これにより、金属・無機物のみがカゴ６０２に残っているので、容易に金属・無機物を回収することができる。
以上により、本発明の分解装置は、優れた金属及び／又は無機物分離・回収方法も提供する。【００４４】
（触媒循環型廃プラスチック・有機物の分解装置の詳細）
図１に示すように、本発明の分解装置１の通気性底材２４は、金属メッシュである。金属メッシュは、触媒２を受止めることができ、且つ気体の通過を許容する材料である。しかし、通気性底材は金属メッシュに限られない。【００４５】
上記いずれかの触媒循環型廃プラスチック・有機物の分解装置１の加熱手段８は、送風ブロア７等の担体ガス供給手段により供給された担体ガスを加熱するものである。すなわち、加熱手段８は送風ブロア等で供給された担体ガスが送風チャンバ９に送りこまれる工程において、該担体ガスを加熱することにより、分解反応に必要な触媒活性温度まで触媒を熱する働きを行う。なお、熱源は電気が好ましいが、しかし特には限定されない。
さらに、直接ヒータ等を使用して循環槽内を加熱することもできる。この場合には、加熱に係る電気量を、上記加熱手段と比較して、約１/２〜１/３に抑えることができる。
また、送風チャンバ９は、いわゆる担体ガス供給槽と反応初期に必要な熱を供給する槽の２つの役割を有する。また、送風チャンバ９の存在により、通気性底材２４に複数の穴を有することにより、送風ブロア７等から供給された担体がスを触媒内部の全体に均一に分散供給することができる。【００４６】
（触媒循環型廃プラスチック・有機物の分解装置の追加手段）
さらに、本発明の触媒循環型廃プラスチック・有機物の分解装置１では、好ましくは以下のいずれか１の手段を含む。
（１）無機・金属触媒処理手段
（２）担体ガス供給手段
（３）サイクロン集塵手段
（４）フィルター付き集塵手段
（５）熱交換手段
（６）プレヒート手段
（７）排気手段
（８）冷却手段
（９）熱回収手段
（１０）HCl連続測定手段
（１１）CO連続測定手段
（１２）警報手段
（１３）石灰中和処理手段【００４７】
（１）無機・金属触媒処理手段
本発明の廃プラスチック分解装置には、酸化触媒処理工程前に「無機・金属触媒処理手段」を導入することが好ましい。無機・金属触媒処理手段とは、酸化触媒にSi, Mg, Cr, Pb, Fe 等、又はダスト（塵）等が付着するのを防止することである。なお、無機・金属触媒として、アルミナ触媒が好ましい。
なお、アルミナ触媒は、酸化触媒槽の前段に設置するのが好ましい。別途アルミナ触媒槽を設けても良い。なお、アルミナ触媒の加熱温度は、好適には３５０度以上で行うのが良い。【００４８】
（２）担体ガス供給手段
循環槽及び／又は混合槽に供給する担体ガスとしては、酸素が好ましいが、通常、空気が用いられる。また、必要に応じて不活性ガスを利用しても良い。なお、担体ガスの供給方法は、送風ブロア等を使用し、好ましく触媒の内部全体に均一に分散供給する。供給量は分解有機物の酸化分解に必要な酸素量を含む常温空気で、理論酸素必要量の1.3倍〜4.0倍が好ましい。さらに、分解効率の点から、1.6倍〜3.0倍が良い。なお、ブロア等を用いることができるが、特に限定されない。
なお、本発明の分解装置では、循環槽底部の金網の網目から担体ガス好ましくは空気を循環している触媒の内部に直接供給することにより、従来の反応槽の上部より担体ガスを供給する方法よりも、格段に分解効率が向上する。なお、金網を緻密なメッシュ構造を使用することにより、担体ガスを触媒の内部に均一に供給可能である。【００４９】
集塵手段
本発明の集塵手段は、循環槽３から排出される飛散した金属・無機物及び／又は触媒を回収する。また、回収した触媒２を再利用することもできる。また、集塵手段は、石灰中和手段を挟んで２つあるのが好ましい。さらに、第１集塵手段はサイクロン集塵手段（装置）、第２集塵手段はフィルター付き集塵手段（装置）が好ましい。
（３）サイクロン集塵手段（第１集塵手段）
第１集塵手段で回収した触媒は、サイクロンで集め、循環槽に連結している循環経路より循環槽にもどすことにより、触媒の循環に利用することができる。なお、発明者らは、実験結果により、第１集塵手段で約９５％〜約９９％の触媒が回収できることを確認している。【００５０】
（４）フィルター付き集塵手段（第２集塵手段）
第２集塵手段で回収した触媒は、微粉末であれば、微粉末触媒を固めることにより、望みの粒径にした後に、循環槽にもどすこともできる。【００５１】
（５）熱交換手段
二酸化炭素と微量の水分を含んだ熱風から熱交換を通して熱を回収する手段である。また、得られた熱源は、加熱手段に利用することができるが、特に限定されない。例えば、供給する空気を加熱する、プレヒートに利用したり、工場施設の給湯関係又は融雪等に利用することができる。【００５２】
（６）プレヒート手段
酸化触媒処理の前にはヒート手段によりプレヒートー（前保温）を行うことが好ましい。濃度の低いガスが流れてきたり、分解槽での発熱が低い場合に酸化触媒を確実に反応させるのに好適である。好ましくは、ヒータを使用する。【００５３】
（７）排気手段
廃プラスチック・有機物が分解されて生成した安全な炭酸ガス、微量の水分を含む空気を本発明の廃プラスック・有機物の分解装置外に排出する手段である。好ましくは、排気ブロアを使用する。【００５４】
（８）冷却手段
循環槽内が触媒の最適活性温度領域を超えた場合に、循環槽の触媒を冷却する手段である。冷却する方法は、好適には冷却水を循環槽の外周又は内周に流すことにより、循環槽からの熱を回収する（好適は潜熱を利用する、又は冷却水を温める）方法であるが、特に限定されず、羽根等に冷却水を流すこともできる。【００５５】
（９）熱回収手段
上記冷却水から得た熱を保存又は利用する手段である。回収した熱は、工場施設の給湯関係又は融雪等に利用することができる。しかし、これらの利用に限られるものではない。【００５６】
（１０）HCl連続測定手段
HCIが石灰中和処理手段で吸収除去されているかを確認するための手段である。すなわち、一定以上のHCI濃度を本発明の廃プラスック・有機物の分解装置外に排出するのを防ぐ手段である。【００５７】
（１１）CO連続測定手段
COが酸触媒処理手段で二酸化炭素に変換されているかを確認するための手段である。すなわち、一定以上のCO濃度を本発明の廃プラスック・有機物の分解装置外に排出するのを防ぐ手段である。【００５８】
（１２）警報手段
本発明の分解装置は、法規制基準内で安全な運転を行っているが、安全域をわずかに超えた場合に、該安全域を超えたことを知らせる警告手段と自動運転停止手段を備える。すなわち、上記HCl連続測定手段及び／又はCO連続測定手段における測定中にわずかに基準値以上のCO、HCI濃度が検出された場合に異常を知らせる手段を備えることができる。好適には、異常を検出した場合には、安全手段（装置）を介して外部に有害ガスを排出させない。【００５９】
本発明の廃プラスチック・有機物の分解システム
本発明の廃プラスチック・有機物の分解システムは、上記いずかに記載の分解装置を使用して、さらに好適な触媒の使用及び／又は好適な分解条件を使用して廃プラスチック・有機物の分解を行うことを意味する。【００６０】
本発明の「触媒の加熱温度」は、少なくとも、３００度以上かつ６００度以下、好ましくは、３５０度以上かつ６００度以下、特に好ましくは、４２０度〜５６０度であり、さらに好ましくは４５０度〜５３０度の範囲であり、最も好ましくは約４８０度である。
なお、加熱温度とは、触媒と廃プラスチック及び／又は有機物を反応させるための循環槽内及び／又は混合槽内の触媒温度であり、その触媒の設定温度を保つための設定温度を指す。すなわち、設定温度を４８０度としても、循環槽内、混合槽内の触媒温度の振れ範囲は設定温度からプラス・マイナス約３０度となる。
さらに、循環槽内のある箇所では、循環槽の形状や大きさにより、本発明の特に好ましい「触媒の加熱温度」よりも高く又は低くなる場合がある。しかしながら、触媒は循環槽内を循環しているので、触媒の大部分が特に好ましい触媒加熱温度に維持されていれば良い。【００６１】
本発明の触媒は、好適には、活性成分が酸化チタンである酸化チタンの顆粒体からなる触媒である。また、酸化チタンの顆粒体からなる触媒は活性成分としての酸化チタンのみからなる酸化チタンの顆粒体だけでなく、酸化アルミニウム、酸化ケイ素から選ばれる少なくとも１種と酸化チタンとの混合物（以下、酸化チタン混合物と称する場合がある）の顆粒体も含まれる。既に知られているように、酸化チタンは光触媒としての機能も有しているので、上記いずれかの触媒を用いて、廃プラスチック・有機物を分解するに際して、必要に応じて、光照射特に紫外線の照射の下に、触媒と廃プラスチック・有機物とを加熱撹拌してもよい。しかしながら、多種の廃プラスチックや有機物の単体、またはそれらの固体や液体、又は金属、無機物の含まれた様々な状態の物を分解しようとすると、紫外線の照射下では、実用性としての効果は乏しい。
しかしながら、本発明の分解装置及び分解システムでは、回転車を用いること、触媒を循環するための反応槽とは別途に混合槽を導入すること、好適な触媒を使用することにより、光照射を必要とすることなく、高効率で廃プラスチック、有機物の分解を行うことができ、さらには、実験動物等をほぼ完全に分解することもできる。【００６２】
本発明の廃プラスチックの分解装置又は分解システムに用いる酸化チタンの顆粒体の形状は好ましくは略球形であり、また粒子径は3.5mesh（5.60mm）以下、好ましくは10mesh（1.70mm）以下である。
使用前の酸化チタンの顆粒体の粒子径の範囲は、5.60mm〜110μm、より好ましくは3.50mm〜150μmである。【００６３】
以上により、本発明の「酸化チタンの顆粒体からなる触媒」は、酸化チタンの顆粒体か、又は酸化チタン混合物の顆粒体からなり、3.5mesh（5.60mm）以下、好ましくは10mesh（1.70mm）以下の形状を有すると共に、エッジ処理の結果、２．０％以下、より好ましくは１．０％以下の摩耗率を有するものである。従って、本発明によれば、上述したような触媒を用いることによって、長時間にわたって廃プラスチック、有機物を高効率にて分解することができる。【００６４】
また、本発明の「酸化チタンの顆粒体からなる触媒」は、活性成分としての酸化チタンの比表面積が30m2/g 以上であり、好ましくは33m2/g以上〜65 m2/g以下、より好ましくは35m2/g以上〜50 m2/g以下である。さらには、使用前の酸化チタンの顆粒体からなる触媒の比表面積は、35m2/g以上〜50 m2/g以下である。これは、比表面積が大きいほど、廃プラスチックとの接触面が大きくなり、分解効率を上げることができる。しかし、比表面積が大きすぎると耐熱性が弱くなり、かつ顆粒体が崩れやすく粉末化しやすくなる。
なお、酸化チタンの顆粒体からなる触媒の比表面積の測定方法は、自体公知の方法を利用することができるが、本発明ではBET法を使用して測定する。【００６５】
より好ましくは、本発明の「酸化チタンの顆粒体からなる触媒」は、略球形であり、かつ該顆粒体の「粒子径」が、0.15〜1.0ｍｍ、好ましくは0.2〜0.9ｍｍ、より好ましくは0.20〜0.80ｍｍである。
より詳しくは、使用前の全酸化チタンの顆粒体中の７０％以上、好ましくは８０％以上、より好ましくは９０％以上の顆粒体の粒子径が、0.15〜0.90ｍｍ、好ましくは0.20〜0.80ｍｍ、より好ましくは0.20〜0.80ｍｍである。
加えて、粒子径の中心分布は、使用前の全酸化チタンの顆粒体中の７０％以上、好ましくは８０％以上、より好ましくは９０％以上の顆粒体では、0.20〜0.90ｍｍ、好ましくは0.25〜0.80ｍｍ、より好ましくは0.30〜0.80ｍｍである。
加えて、本発明の「顆粒体の形状が略球形」とは、従来の酸化チタン触媒の形状と比較して、顆粒体（粒子）表面の角が取れ、粒子形状の球形の度合いが高いことを意味する。【００６６】
さらに、例えば、処理する廃プラスチックがポリ塩化ビニル、ポリウレタン、テフロン（登録商標）等、様々な医療廃棄物プラスチックの場合には、処理工程中に塩化水素、硫黄化合物、フッ化水素、シアンガス、窒素含有化合物が生成する。塩化水素等をそのまま大気放出させることができない。よって「石灰中和処理手段」を導入する。
石灰中和処理手段とは、分解処理工程中に発生する塩化水素、硫黄化合物、フッ化水素、シアンガス、窒素含有化合物等を大気中に放出させないために吸着除去することを意味する。石灰中和処理手段では、これらを大気中に放出させないために吸着除去する手段（装置）を意味する。
詳しくは、生石灰、消石灰又はその混合物を主成分とする石灰材であって、それを多孔質で、サイズが2ｍｍ以上に成形した塩化水素吸収材ペレットを除去容器に充填し、その除去容器に前記分解された廃プラスチック由来の塩化水素等含有気体を通過させ、塩化水素等を反応吸収させることである。【００６７】
本発明でいう石灰材の主成分は、生石灰でも、消石灰でも、その混合物でもいい。この石灰材を多孔質のペレット状にし、2ｍｍ以上の大きさにしたものを用いるのがよい。
さらに、石灰中和処理工程の加熱温度は、好ましくは150度〜500度、より好ましくは200度〜400度、最も好ましくは250度〜350度である。【００６８】
石灰中和処理手段は、好適には石灰中和処理装置を使用する。石灰中和処理装置では、充填槽を利用する。充填槽上部からペレットが下部に向かい落下し、処理の必要なガスは下部から上部へ、石灰ペレットと接触しながら通過するものである。上部にはペレットのストック部、下部には使用済みのペレットの排出部が設けられている。もちろん反応容器の層とはシャッター、ロータリーバルブなどで遮断されている。処理濃度、処理速度により排出量を制御して使用する。装置には潮解現象の防止のためヒーターが設けられている。本分解方法では、高温で処理するため潮解現象は起こさないが、加熱しない状態時のために好適にはヒート工程を設ける。【００６９】
さらに、本発明の廃プラスチック・有機物分解装置には、「酸化触媒処理手段」を導入しても良い。
酸化触媒処理手段とは、上記の加熱された酸化チタンの顆粒体触媒によって分解された廃プラスチックや有機物でも、すべてが完全に分解されるとは限らない。未反応物や中間生成物がそのまま反応容器を出ていく可能性がある。このため、本発明では、その後の工程として酸化触媒処理によってさらに酸化又は還元することが好ましい。なお、酸化触媒処理手段は、好ましくは石灰中和処理手段の後に行う。【００７０】
酸化触媒とは、一般的に無触媒時より低い温度で且つ短時間で酸化、分解反応を起こすものである。このような酸化触媒は従来から種々のものが知られ、市販もされている。一般的に反応温度は、200〜500度で使用されるが、本発明では、300度以上が良いが、好ましくは350度以上である。それは雑多な廃プラスチック、有機物などを分解した場合、単一の未分解ガスが発生するとは限らないため、混合した未分解ガスを完全分解するためには350度以上が好ましい。本発明では効率、装置面の有効性からハニカムタイプが好ましい。
この触媒処理の前にはプレヒート処理（前保温）を行うことが好ましい。濃度の低いガスが流れてきたり、分解槽での発熱が低い場合酸化触媒を確実に処理するためである。【００７１】
この酸化触媒は、一酸化炭素や炭化水素のような未燃物の酸化に対して大きな効果を有するもので、酸素と所定の温度があれば直ちに、且つほとんどが酸化分解される。一酸化炭素ならば二酸化炭素に、炭化水素ならば二酸化炭素と水になる。【００７２】
さらに、本発明の廃プラスチック分解装置には、酸化触媒処理手段前に「無機・金属触媒処理手段好適にはアルミナ触媒処理手段」を導入することが好ましい。アルミナ触媒処理工程とは、酸化触媒にSi, Mg, Cr, Pb, Fe 等、又はダスト（塵）等が付着するのを防止することである。なお、アルミナ触媒は、酸化触媒槽の前段に設置するのが好ましい。別途アルミナ触媒槽を設けても良い。なお、アルミナ触媒の加熱温度は、好適には３５０度以上で行うのが良い。【００７３】
このように本発明は酸化チタンによる酸化・分解と、石灰中和処理による塩化水素、フッ化水素、硫黄化合物、窒素含有化合物等の除去、アルミナ触媒処理によるダスト等の除去、及び/又は酸化触媒によるさらなる酸化・分解とを組み合わせることができる。【００７４】
本発明の分解装置又は分解システムに適用することができる廃プラスチック、有機物は、特に限定されるものではなく、ポリエチレン、ポリプロピレン等の、汎用の熱可塑性プラスチックのほか、熱硬化性プラスチックも本発明の方法によって分解し、ガス化することができる。また、廃プラスチック、有機物は、破砕して、数ｍｍ３角程度の大きさにしたものが分解効率から好ましいが、破砕することなく分解処理もすることができる。
なお、本発明の廃プラスチック、有機物の分解装置又は分解システムで分解できる対象は、プラスチック例えばポリエチレン、ポリプロピレン、ポリエステル、ポリエチレンテレフタレート、ポリスチレン、ポリカーボネート、ポリウレタン、ポリ塩化ビニル、テフロン（登録商標）、また、オムツ、人工透析装置、抗がん剤、実験動物、遺伝子研究関係処理物特に発光微生物、情報端末物、機密情報物（例えば、CD-R等）、自動車・家電廃プラ、有価物金属回収、有機物と金属無機物の分離等が挙げられるが、有機物を含め、特に限定はされない。さらに、医療廃棄物の場合では、用途に応じてステンレス、アルミニウムなどの金属が混在していたり、表面に金属が蒸着、貼着等されていたりする。また、廃プラスチックとは、使用済みプラスチックのみを対象とするのではなく、未使用であるが不要なプラスチック、有機物も対象とする。【００７５】
以下に実施例を挙げて本発明を説明するが、本発明はこれら実施例により何ら限定されるものではない。
【実施例１】
【００７６】
以下の実施例では、病院等で廃棄される使用済みの注射器、包装袋、又は薬瓶のような医療廃棄物を、本発明の分解装置の廃プラスチック・有機物処理手段によって処理する工程を説明する。既に述べた要素には、引続き同じ呼称、又は同じ符号を用いるものとする。【００７７】
上記実施態様４及び実施態様７の触媒循環型廃プラスチック・有機物の分解装置を使用した。
触媒２を循環槽３内に投入し、次に、送風ブロア７によって循環槽３に空気を供給した。次に、加熱手段８を起動させることにより、空気を加熱して、該加熱された空気（熱風）を循環槽３の内部に供給することにより、触媒２の温度を420度〜560度になるようにした。【００７８】
次に、数ｍｍ３程度の大きさの医療廃棄物を循環槽３の投入口６から投入した。投入した医療廃棄物は、触媒２と共に回転車５により循環槽３内を循環させた。この循環の工程で、触媒２と医療廃棄物とは、撹拌羽根５３によって撹拌され続けるので、触媒２と医療廃棄物との接触が繰り返され、触媒２の作用に基づき、医療廃棄物に含まれる廃プラスチック・有機物４の分解が促進された。これにより、循環槽３に投入された総ての医療廃棄物に含まれる廃プラスチック・有機物４は、触媒の循環工程中に気化した。廃プラスチック・有機物４が気化する過程で、その分解が起こると、二酸化炭素と水蒸気を主成分とするガスが発生した。【００７９】
上記のガス（気化した有機物）は、石灰中和処理手段、続いて酸化触媒処理手段へ送って処理をした。【００８０】
また、上記の循環工程で、医療廃棄物の大部分を占める廃プラスチック・有機物４は気化するが、医療廃棄物に混入した金属は、循環の後に至っても触媒２の中に残る。このような金属を、触媒２と共に更に循環される工程で選別できるようにしても良い。例えば、触媒２の最大径が通過することができる程度の網目を有する金網２１１を、金属及び／又は無機物分離・回収手段として循環槽３のいずれか１の区分に嵌めこむ。そして、金網に止められた金属・無機物を回収できるポケット２１２を設置し、ポケットから金属・無機物を回収することができる。【００８１】
従って、本発明の分解装置によれば、環境・産業用廃棄物に含まれる金属、無機物を循環槽３に残留させることがなく、金属の酸化を抑え、そのリサイクルを実現することができる。しかも、金属及び／又は無機物分離・回収手段が金属を選別するとき、回転車５を停止させる必要がないので、医療廃棄物の処理量を高く維持させることができる。また、金属及び／又は無機物分離・回収手段２１が金属を選別するとき、循環槽３の扉を開放する必要がないので、廃プラスチック・有機物処理手段の熱効率を高く保つことができる。
【実施例２】
【００８２】
本発明の廃プラスチック・有機物の分解システム
上記実施態様４の分解装置｛上記（Ｂ）の混合槽付き｝を使用し、循環槽内の酸化チタンの顆粒体を４２０度〜５６０度に加熱した。
なお、使用した酸化チタンの顆粒体の活性成分としての酸化チタンの特性は、（１）比表面積が35m2/g以上〜50m2/g以下、（２）顆粒体が3.5mesh（5.60mm）以下であった。
なお、使用した廃プラスチック・有機物は、実験で使用したラット１匹（約560g）である。【００８３】
ラット１匹をカゴに収納して混合槽内に導入した。そして、循環槽内の触媒を約２時間循環させた後に、カゴを搬出した。なお、触媒循環で発生したガス（気化した有機物）は、石灰中和処理手段、続いて酸化触媒処理手段へ送り処理をした。
また、酸化触媒処理手段後のガス濃度を触媒循環前のガス濃度と比較した。
さらに、循環後の触媒にタンパク質が付着しているかを確認した。【００８４】
（回収したラットの確認）
回収したカゴの中には、ラットの頭蓋、大腿骨、上腕骨、椎骨が灰化残存していた。しかし、ラットの体毛、皮膚、筋肉は完全に分解消失されていた。
これにより、触媒量を増やすことにより、ラットの頭蓋、大腿骨、上腕骨、椎骨も短時間でほほ完全に分解消失させることができると考えられる。【００８５】
（酸化触媒処理手段後のガス濃度の確認）
ガスクロマトグラフィーにより、酸化触媒処理手段後のガス濃度及び触媒循環前のガス濃度を測定した。測定結果は、以下の表１である。
以下の表１からわかるように、循環前後では各ガス濃度の変化がほぼなかった。すなわち、本発明の分解装置は、有害ガスであるNOx、SO２、CO等を環境中に放出することなく、廃プラスチック・有機物を分解することができる。【００８６】
【表１】
2009051253.tif 000003
【００８７】
（循環後の触媒に付着しているタンパク質の確認）
上記循環後の触媒500gに蒸留水500mlを加え、触媒を撹拌洗浄し、さらに超音波で５時間洗浄し、静置した。次に、上澄液｛pH2.0 OD(A280nm 0.002)｝を回収した。そして、回収した上澄液250mlを20mMTris-HCl緩衝液pH8.0で透析して、透析溶液を得た。【００８８】
上記透析溶液でタンパク質定量を行なった。タンパク質定量法は、以下の通りである。
タンパク質定量法：試験管マイクロアッセイ法2.5〜25μg/ml
試験管に800μlの試験溶液にCBB溶液（ナカライテスクタンパク質定量試薬）200μlを加え、十分に撹拌して10分間放置した。次に、１時間以内に、試薬ブランクを対照として、吸光度（595nm）を測定した｛（試薬ブランク（0.002）でゼロ点補正後測定）｝。
測定結果は、以下の表２である。
以下の表２からわかるように、検体中にはタンパク質を検出することができないか、又は１ml中2.5μg以下であった。【００８９】
【表２】
2009051253.tif 000004
【００９０】
上記透析後の洗浄液40mlをDEAEカラムに添加した。塩濃度0〜0.4モルで溶出した後にタンパク質分析を行った。
未吸着、吸着画分ともにタンパク質ピークは認められなかった。【００９１】
上記透析後の洗浄液50ｍｌに硫化アンモニウム（0-70％飽和）を加え、遠心分離をした。沈殿画分は認められなかったが、上澄液を捨て、20mM Tris-HCl緩衝液pH8.0 1.0mlで洗浄した。次に、洗浄液を回収して、透析した後にタンパク質定量（UV OD A280nm）を行った。
タンパク質は検出することができなかった。【００９２】
以上の結果から、ラット体内に存在していたタンパク質は、ほぼ完全に分解消失したものと考えられる。
【実施例３】
【００９３】
本発明の廃プラスチック・有機物の分解システム２
上記実施態様７の分解装置（カゴ収納領域付き）を使用し、下記使用する酸化チタンの顆粒体以外は上記実施例２と同様に実験を行った。
使用した酸化チタンの顆粒体の活性成分としての酸化チタンの特性は、（１）顆粒体の形状が略球形であり、（２）全顆粒体の70％以上の顆粒体の粒子径が0.15〜1.0ｍｍであった。【００９４】
実施例２の結果と同様に、タンパク質は検出することができなかった。すなわち、ラット体内に存在していたタンパク質は、ほぼ完全に分解消失したものと考えられる。【００９５】
本発明の分解システムでは、従来の分解方法に比べて格段に高い分解効率を示す。また、石灰中和処理手段による石灰中和処理工程及び酸化触媒処理手段による酸化触媒処理工程により、分解工程中にHCI、フッ化水素、硫黄化合物、窒素化合物等を発生するプラスチック、有機物又は血液等の生体由来物、フッ化水素を発生するフッ素化合物の処理も容易に行うことができた。【００９６】
その他、本発明のすべての実施例は、その主旨を逸脱しない範囲で当業者の知識に基づき種々の改良、修正、変更を加えた態様で実施できるものである。
【産業上の利用可能性】
【００９７】
本発明の分解装置及び分解システムは、医療廃棄物に限らず、あらゆるプラスチック等の廃材を処理するのに有益な技術である。
【図面の簡単な説明】
【００９８】
【図１】本発明の触媒循環型廃プラスチック・有機物の装置の断面図。
【図２】本発明の実施態様１の装置の上面図
【図３】本発明の実施態様２の装置の上面図
【図４】本発明の実施態様３の装置の上面図
【図５】本発明の実施態様４の装置の上面図
【図６】本発明の実施態様５の装置の上面図
【図７】本発明の回転車５の図
【図８】本発明の別の態様の回転車５の図
【図９】本発明の混合槽の断面図
【図１０】本発明の混合槽の断面図
【図１１】本発明の混合槽の断面図
【図１２】本発明の混合槽（カゴ運搬レーン付）の断面図
【図１３】廃プラスチック・有機物が循環している模式図
【図１４】本発明のその他の実施態様
【図１５】本発明の実施態様６の装置の上面図
【図１６】本発明の実施態様６（カゴ運搬レーン付）の装置の上面図
【図１７】本発明の実施態様７の装置の上面図
【図１８】本発明の実施態様７の装置の上面図（触媒循環方向が逆）
【図１９】本発明の実施態様７の装置の断面図
【図２０】本発明の実施態様７（混合槽付）の装置の上面図
【図２１】本発明の実施態様８の装置の上面図
【符号の説明】
【００９９】
１：触媒循環型廃プラスチック・有機物の分解装置
２：触媒
３：循環槽
４：廃プラスチック・有機物（廃プラスチック及び／又は有機物）
５：回転車
５−１：回転車
５−２：回転車
５−３：回転車
５−４：回転車
５−５：回転車
５−６：回転車
５−７：回転車
５−８：回転車
５−９：回転車
６：投入口
７：送風ブロア
８：加熱手段
９：送風チャンバ
１０：排気口
１１：第１区分
１２：第２区分
１３：第３区分
１４：第４区分
１５：第５区分
１６：第６区分
１７：パドル
１８：回転軸
１９：各区分の内側の領域
２０：仕切り壁
２１：金属及び／又は無機物分離・回収手段
２２：金属・無機物取り出し口
２３：混合槽
２４：通気性底材
２５：最終区分の下流端
５１：車輪
５２：穴
５３：撹拌羽根
５４：補助羽根
５５：突起
２１１：触媒２の最大径が通過することができる程度の網目を有する金網
２１２：ポケット
２３１：撹拌手段
２３２：触媒導入口 
２３３：廃プラスチック・有機物の導入口
２３４： 接続管
２３５：１又は２以上のカゴ収納領域
２３６：搬入口
２３７：搬出口
２３８：担体ガスを供給する手段
２３９：シュート
２４０：第１触媒滞留領域
２４１：第２触媒滞留領域
２４２：弁
６０１：カゴ運搬レーン
６０２：カゴ
６０３：カゴ運搬レーンの上流端
６０４：カゴ運搬レーンの下流端
６０５：触媒量を制御する網
６０６：カゴの運搬の流れ
７０１：循環及び／又は撹拌手段
７０２：上流端
７０３：下流端
８０１：両端領域
８０２：中央領域
９０１：右領域
９０２：中央領域
９０３：左領域
９０４：下流端
９０５：補助撹拌手段
９０６：触媒及び／又は廃プラスチック・有機物の流れ
１００１：前方領域
１００２：後方領域
１００３：下流端
【図２】
2009051253.tif 000005
【図３】
2009051253.tif 000006
【図４】
2009051253.tif 000007
【図５】
2009051253.tif 000008
【図６】
2009051253.tif 000009
【図７】
2009051253.tif 000010
【図８】
2009051253.tif 000011
【図９】
2009051253.tif 000012
【図１０】
2009051253.tif 000013
【図１１】
2009051253.tif 000014
【図１２】
2009051253.tif 000015
【図１４】
2009051253.tif 000016
【図１５】
2009051253.tif 000017
【図１６】
2009051253.tif 000018
【図１７】
2009051253.tif 000019
【図１８】
2009051253.tif 000020
【図２０】
2009051253.tif 000021
【図２１】
2009051253.tif 000022
【図１】
2009051253.tif 000023
【図１３】
2009051253.tif 000024
【図１９】
2009051253.tif 000025
【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
触媒循環型プラスチック・有機物の分解装置において、  触媒を循環させる循環槽と、  該循環槽内には、プラスチック及び／又は有機物を該触媒と共に循環及び／又は撹拌をするための回転車と、 さらに、該循環槽が２枚の仕切り壁により３つの領域である右領域、左領域及び中央領域に分けられており、１又は２以上の該回転車が３つの領域にそれぞれ設置されていること、を備え、  該触媒と共に該プラスチック及び／又は有機物を該循環槽内を循環させることを特徴とする触媒循環型プラスチック・有機物の分解装置。
【請求項２】
前記回転車は、駆動源により回転する回転軸に車輪を設け、該回転軸が前記循環槽内に挿入されていることを特徴とする請求項１に記載の触媒循環型プラスチック・有機物の分解装置。
【請求項３】
前記車輪に、撹拌羽根が設置されていることを特徴とする請求項２に記載の触媒循環型プラスチック・有機物の分解装置。
【請求項４】
２つの前記回転車が前記右領域、前記左領域及び前記中央領域にそれぞれ設置されていることを特徴とする請求項１〜３のいずれか１に記載の触媒循環型プラスチック・有機物の分解装置。
【請求項５】
さらに、補助攪拌手段が前記中央領域に設置されていることを特徴とする請求項４に記載の触媒循環型プラスチック・有機物の分解装置。
【請求項６】
前記中央領域に設置された前記回転車が前記触媒と共に前記プラスチック及び／又は有機物を前記右領域及び／又は前記左領域に運搬し、さらに該右領域及び／又は該左領域に設置された前記回転車が該触媒と共に該プラスチック及び／又は有機物を該中央領域に運搬することにより、該触媒と共に該プラスチック及び／又は有機物を該循環槽内を循環させることを特徴とする請求項１〜５のいずれか１に記載の触媒循環型プラスチック・有機物の分解装置。
【請求項７】
前記右領域及び／又は前記左領域に設置された前記回転車は、前記中央領域に設置された回転車よりも高く配置されており、循環終了後の触媒を該右領域及び／又は該左領域の下流端から前記循環槽内の新たに投入したプラスチック及び／又は有機物に投下することを特徴とする請求項６に記載の触媒循環型プラスチック・有機物の分解装置。
【請求項８】
混合槽が前記循環槽に連結又は該循環槽内に導入されていることを特徴とする請求項１〜７のいずれか１に記載の触媒循環型プラスチック・有機物の分解装置。
【請求項９】
触媒を循環させる循環槽と、 該循環槽内には、プラスチック及び／又は有機物を該触媒と共に循環及び／又は撹拌をするための回転車と、 さらに、該循環槽が１枚の仕切り壁により２つの領域である前方領域及び後方領域に分けられており、１又は２以上の該回転車が該前方領域に設置されており、かつ１又は２以上の該回転車が該後方領域に設定されていること、を備え、 該前方領域に設置された該回転車が前記プラスチック及び／又は有機物を該後方領域に運搬し、さらに該後方領域に設置された該回転車が該触媒と共に該プラスチック及び／又は有機物を該前方領域に運搬することにより、該触媒と共に該プラスチック及び／又は有機物を該循環槽内を循環させることを特徴とする触媒循環型プラスチック・有機物の分解装置。
【請求項１０】
１つの前記回転車が前記前方領域に設置されており、かつ２つの前記回転車が前記後方領域に設置されていることを特徴とする請求項９に記載の触媒循環型プラスチック・有機物の分解装置。
【請求項１１】
触媒を循環させる循環槽と、 該循環槽内には、プラスチック及び／又は有機物を該触媒と共に循環及び／又は撹拌をするための回転車と、 さらに、該循環槽が２枚の仕切り壁により３つの領域に分けられており、１又は２以上の該回転車がそれぞれの両端側領域に設置されていること、を備え、該触媒と共に該プラスチック及び／又は有機物を該循環槽内を循環させることを特徴とする触媒循環型プラスチック・有機物の分解装置。
【請求項１２】
触媒を循環させる循環槽と、 該循環槽内には、プラスチック及び／又は有機物を該触媒と共に循環及び／又は撹拌をするための回転車と、 さらに、該循環槽が２以上の区分に分けられており、第１区分から最終区分まで連結しており、かつ最終区分の下流端が該第１区分の上流端に連結しており、そして前記回転車が各区分に１又は２以上設置されていること、を備え、 該触媒と共に該プラスチック及び／又は有機物を該循環槽内を循環させることを特徴とする触媒循環型プラスチック・有機物の分解装置。
【請求項１３】
触媒を循環させる循環槽と、 該循環槽内には、プラスチック及び／又は有機物を該触媒と共に循環及び／又は撹拌をするための回転車と、 さらに、該循環槽が、２以上の区分に分けられており、第１区分から最終区分まで連結しており、かつ最終区分の下流端が該第１区分の上流端に混合槽を介して連結しており、そして前記回転車が各区分に１又は２以上設置されていること、を備え、 該触媒と共に該プラスチック及び／又は有機物を該循環槽内を循環させることを特徴とする触媒循環型プラスチック・有機物の分解装置。
【請求項１４】
前記最終区分に設置されている前記回転車は、連結されている前の区分に設置されている前記回転車よりも高く配置されており、循環終了後の触媒を該最終区分の下流端から前記循環槽内の新たに投入したプラスチック及び／又は有機物に投下することを特徴とする請求項１２に記載の触媒循環型プラスチック・有機物の分解装置。
【請求項１５】
前記最終区分に設置されている前記回転車は、連結されている前の区分に設置されている前記回転車よりも高く配置されており、循環終了後の触媒を該最終区分の下流端から前記混合槽内の新たに投入したプラスチック及び／又は有機物に投下することを特徴とする請求項１３に記載の触媒循環型プラスチック・有機物の分解装置。
【請求項１６】
前記混合槽には、プラスチック及び／又は有機物を撹拌するための撹拌手段と、プラスチック及び／又は有機物を該混合槽に導入するための導入口と、循環終了後の触媒を溜めるための１又は２以上の触媒滞留領域とを、備え、  循環終了後の触媒滞留領域中の触媒をプラスチック及び／又は有機物に投下し、該プラスチック及び／又は有機物を該触媒と接触させ、続いて、該触媒並びに該プラスチック及び／又は有機物を前記第１区分に運搬することを特徴とする請求項１３又は１５に記載の触媒循環型プラスチック・有機物の分解装置。
【請求項１７】
前記混合槽には、循環終了後の触媒を溜めるための１又は２以上の触媒滞留領域と、プラスチック及び／又は有機物を収容するための１又は２以上のカゴ収納領域と、カゴを混合槽内へ搬入するための搬入口、カゴを混合槽内から搬出するための搬出口とを、備え、  プラスチック及び／又は有機物を含むカゴを該搬入口を介して該混合槽内のカゴ収納領域に搬入し、循環終了後の触媒滞留領域中の触媒を該カゴ収納領域に投下し、続いて、該プラスチック及び／又は有機物を該触媒と接触させ、続いて、該触媒を前記第１区分に運搬することを特徴とする請求項１３、１５又は１６に記載の触媒循環型プラスチック・有機物の分解装置。
【請求項１８】
前記混合槽は、さらに、複数のカゴを前記混合槽内へ運搬するためのカゴ運搬レーンを、備え、  １又は複数のカゴを前記搬出口を介して該混合槽から搬出すると同時に、次の１又は複数のカゴを前記搬入口を介して該混合槽へ搬入することを特徴とする請求項１７に記載の触媒循環型プラスチック・有機物の分解装置。
【請求項１９】
前記カゴ運搬レーンの下流端がカゴ運搬レーンの上流端と前記混合槽を介して連結しており、新たに処理するプラスチック及び／又は有機物を搬出されたカゴに入れ、該カゴを再度該混合槽内へ搬入することを特徴とする請求項１８に記載の触媒循環型プラスチック・有機物の分解装置。
【請求項２０】
触媒循環型プラスチック・有機物の分解装置において、  触媒を循環させる循環槽と、  該触媒とプラスチック及び／又は有機物を混合するための混合槽と、  該循環槽内には、プラスチック及び／又は有機物を該触媒と共に循環及び／又は撹拌をする手段（循環及び／又は撹拌手段）と、 該循環槽底部に通気性底材が設置されていること、 担体ガス供給手段が設置されていること、  該混合槽には、プラスチック及び／又は有機物を撹拌するための撹拌手段と、プラスチック及び／又は有機物を該混合槽に導入するための導入口と、循環終了後の触媒を溜めるための１又は２以上の触媒滞留領域とを、備え、  循環終了後の触媒滞留領域中の触媒をプラスチック及び／又は有機物に投下し、該プラスチック及び／又は有機物を該触媒と接触させ、続いて、該触媒並びに該プラスチック及び／又は有機物を該循環槽内に運搬すること、さらに該担体ガス供給手段が循環槽底部の通気性底材を介して担体ガスを直接に触媒の内部に均一に分散供給可能であることを特徴とする触媒循環型プラスチック・有機物の分解装置。
【請求項２１】
前記混合槽には、さらに、プラスチック及び／又は有機物を収容するための１又は２以上のカゴ収納領域と、カゴを混合槽内へ搬入するための搬入口、カゴを混合槽内から搬出するための搬出口とを、備え、  プラスチック及び／又は有機物を含むカゴを該搬入口を介して該混合槽内のカゴ収納領域に搬入し、循環終了後の触媒滞留領域中の触媒をプラスチック及び／又は有機物に投下し、該プラスチック及び／又は有機物を該触媒と接触させ、続いて、該触媒は該循環槽内に運搬することを特徴とする請求項２０に記載の触媒循環型プラスチック・有機物の分解装置。
【請求項２２】
触媒循環型プラスチック・有機物の分解装置において、  触媒を循環させる循環槽と、  該触媒とプラスチック及び／又は有機物を混合するための混合槽と、  該循環槽内には、プラスチック及び／又は有機物を該触媒と共に循環及び／又は撹拌をする手段（循環及び／又は撹拌手段）と、  該混合槽には、プラスチック及び／又は有機物を収容するための１又は２以上のカゴ収納領域と、カゴを混合槽内へ搬入するための搬入口、カゴを混合槽内から搬出するための搬出口と、循環終了後の触媒を溜めるための１又は２以上の触媒滞留領域とを、備え、  プラスチック及び／又は有機物を含むカゴを該搬入口を介して該混合槽内のカゴ収納領域に搬入し、循環終了後の触媒滞留領域中の触媒をプラスチック及び／又は有機物に投下し、該プラスチック及び／又は有機物を該触媒と接触させ、続いて、該触媒は該循環槽に運搬することを特徴とする触媒循環型プラスチック・有機物の分解装置。
【請求項２３】
前記混合槽には、さらに、プラスチック及び／又は有機物を撹拌するための撹拌手段と、プラスチック及び／又は有機物を該混合槽に導入するための導入口とを、備え、  循環終了後の触媒滞留領域中の触媒をプラスチック及び／又は有機物に投下し、該プラスチック及び／又は有機物を該触媒と接触させ、続いて、該触媒並びに該プラスチック及び／又は有機物を循環槽に運搬することを特徴とする請求項２２に記載の触媒循環型プラスチック・有機物の分解装置。
【請求項２４】
前記混合槽は、さらに、複数のカゴを混合槽内へ運搬するためのカゴ運搬レーンを、備え、  １又は複数のカゴを前記搬出口を介して該混合槽から搬出すると同時に、次の１又は複数のカゴを前記搬入口を介して該混合槽へ搬入することを特徴とする請求項２０〜２３のいずれか１に記載の触媒循環型プラスチック・有機物の分解装置。
【請求項２５】
前記カゴ運搬レーンの下流端がカゴ運搬レーンの上流端に混合槽を介して連結しており、新たに処理するプラスチック及び／又は有機物を搬出されたカゴに入れ、該カゴを再度該混合槽内へ搬入することを特徴とする請求項２４に記載の触媒循環型プラスチック・有機物の分解装置。
【請求項２６】
触媒循環型プラスチック・有機物の分解装置において、  触媒を循環させる循環槽と、  該触媒を下流端から上流端に投下させる混合槽と、  該循環槽内には、該触媒を循環及び／又は撹拌をする手段（循環及び／又は撹拌手段）と、  該混合槽には、プラスチック及び／又は有機物を収容するための１又は２以上のカゴ収納領域と、カゴを混合槽内へ搬入するための搬入口、カゴを混合槽内から搬出するための搬出口とを、備え、  プラスチック及び／又は有機物を含むカゴを該搬入口を介して該混合槽内のカゴ収納領域に搬入し、循環終了後の触媒を該プラスチック及び／又は有機物に投下し、該プラスチック及び／又は有機物を該触媒と接触させ、続いて、該触媒を該循環槽内に運搬することを特徴とする触媒循環型プラスチック・有機物の分解装置。
【請求項２７】
前記混合槽は、さらに、複数のカゴを混合槽内へ運搬するためのカゴ運搬レーンを、備え、  １又は複数のカゴが前記搬出口を介して該混合槽から搬出すると同時に、次の１又は複数のカゴを前記搬入口を介して該混合槽へ搬入することを特徴とする請求項２６に記載の触媒循環型プラスチック・有機物の分解装置。
【請求項２８】
前記カゴ運搬レーンの下流端がカゴ運搬レーンの上流端に前記混合槽を介して連結しており、新たに処理するプラスチック及び／又は有機物を搬出されたカゴに入れ、該カゴを再度該混合槽内へ搬入することを特徴とする請求項２７に記載の触媒循環型プラスチック・有機物の分解装置。
【請求項２９】
前記循環槽には、カゴを循環槽内へ搬入するための搬入口と、カゴを循環槽内から搬出するための搬出口と、該循環槽の中央領域には、プラスチック及び／又は有機物を収容するための１又は２以上のカゴ収納領域とを、備えることを特徴とする請求項１に記載の触媒循環型プラスチック・有機物の分解装置。
【請求項３０】
前記循環槽は、さらに、複数のカゴを循環槽内へ運搬するためのカゴ運搬レーンを、備え、  １又は複数のカゴを前記搬出口を介して該循環槽から搬出すると同時に、次の１又は複数のカゴを前記搬入口を介して該循環槽へ搬入することを特徴とする請求項２９に記載の触媒循環型プラスチック・有機物の分解装置。
【請求項３１】
前記カゴ運搬レーンの下流端がカゴ運搬レーンの上流端と前記循環槽を介して連結しており、新たに処理するプラスチック及び／又は有機物を搬出されたカゴに入れ、該カゴを再度該循環槽内へ搬入することを特徴とする請求項３０に記載の触媒循環型プラスチック・有機物の分解装置。
【請求項３２】
前記混合槽において、混合槽底部及び／又は側部から担体ガスを供給し、前記触媒を混合槽内に充満させることを特徴とする請求項８、１３、１５〜３１のいずれか１に記載の触媒循環型プラスチック・有機物の分解装置。
【請求項３３】
前記循環槽において、循環槽底部の通気性底材から担体ガスを直接に触媒の内部に均一に分散供給可能であることを特徴とする請求項１〜１９、２１〜３２のいずれか１に記載の触媒循環型プラスチック・有機物の分解装置。
【請求項３４】
触媒循環型プラスチック・有機物の分解装置において、 触媒を循環させる循環槽と、 該循環槽内には、プラスチック及び／又は有機物を該触媒と共に循環及び／又は撹拌をするための回転車と、 該循環槽底部に通気性底材が設置されていること、 担体ガス供給手段が設置されていること、を備え、 該触媒と共に該プラスチック及び／又は有機物を該循環槽内を循環させること並びに該担体ガス供給手段が循環槽底部の通気性底材を介して担体ガスを直接に触媒の内部に均一に分散供給可能であることを特徴とする触媒循環型プラスチック・有機物の分解装置。
【請求項３５】
前記通気性底材が、金網であることを特徴とする請求項３３又は３４に記載の触媒循環型プラスチック・有機物の分解装置。
【請求項３６】
さらに、以下のいずれか１以上の手段を有することを特徴とする請求項１〜３５のいずれか１に記載の触媒循環型プラスチック・有機物の分解装置。（１）無機・金属触媒処理手段（２）担体ガス供給手段（３）サイクロン集塵手段（４）フィルター付き集塵手段（５）熱交換手段（６）プレヒート手段（７）排気手段（８）冷却手段（９）熱回収手段（１０）HCl連続測定手段（１１）CO連続測定手段（１２）警報手段（１３）石灰中和処理手段
【請求項３７】
請求項１〜３６のいずれか１の分解装置を使用して、活性成分が酸化チタンである酸化チタンの顆粒体からなる触媒の加熱温度を420度〜560度の範囲に設定してプラスチック・有機物の分解をすることを特徴とするプラスチック・有機物の分解システム。
【請求項３８】
前記酸化チタンの顆粒体の活性成分の酸化チタンが、以下の特性を有することを特徴とする請求項３７に記載の分解システム。（１）顆粒体の形状が略球形である（２）全顆粒体の70％以上の顆粒体の粒子径が0.15〜1.0ｍｍである
【請求項３９】
前記酸化チタンの顆粒体が、活性成分としての酸化チタンと少なくとも以下のいずれか１から選ばれる混合物であることを特徴とする請求項３８に記載の分解システム。（１）酸化アルミニウム（２）酸化ケイ素
【国際調査報告】
2009051253.tif 000026
2009051253.tif 000027
2009051253.tif 000028
2009051253.tif 000029